(57)【特許請求の範囲】
【請求項１】
少なくとも一つの基地局（Base Station: ＢＳ）を含む無線ネットワークにおけるユーザ端末機（User Equipment: ＵＥ）の方法であって、
少なくとも一つのＢＳから、物理アップリンク共有チャンネル（Physical Uplink Shared Channel: ＰＵＳＣＨ）電力制御方法及びＰＵＳＣＨ復調参照信号（Demodulation Reference Signal: ＤＭＲＳ）生成方法のうちの少なくとも一つを構成するための情報要素（Information Element: ＩＥ）を受信する過程と、
前記ＩＥの状態を決定する過程と、
前記ＩＥの状態によってＰＵＳＣＨ及び該ＰＵＳＣＨに対するＤＭＲＳを送信する過程とを含み、
前記ＰＵＳＣＨの送信電力は、前記ＩＥの状態に応じて制御され、
前記ＩＥの状態が第１の状態を指示する場合、前記ＰＵＳＣＨの送信電力は、第１の電力制御の数式によって決められ、
前記ＩＥの状態が第２の状態を指示する場合、前記ＰＵＳＣＨの送信電力は、第２の電力制御の数式によって決められ、
前記ＰＵＳＣＨに対するＤＭＲＳのベースシーケンスは、前記ＩＥの状態によって生成されることを特徴とする方法。
【請求項２】
前記ＩＥの状態が第１の状態を指示する場合、前記ベースシーケンスは、前記少なくとも一つの基地局に相応するセルに対して割り当てられた物理セル識別子（Identifier: ＩＤ）によって生成され、
前記ＩＥの状態が第２の状態を指示する場合、前記ベースシーケンスは、仮想セルＩＤによって生成されることを特徴とする、請求項１に記載の方法。
【請求項３】
前記ＩＥの状態が前記第１の状態を指示する場合、前記ベースシーケンスは、第１の仮想セル識別子によって生成され、
前記ＩＥの状態が第２の状態を指示する場合、前記ベースシーケンスは、第２の仮想セルＩＤによって生成されることを特徴とする、請求項１に記載の方法。
【請求項４】
前記第１の電力制御の数式が、セル固有の参照信号（Cell-specific Reference Signal: ＣＲＳ）に基づいた経路損失推定値の関数であり、
前記第２の電力制御の数式は、チャンネル状態情報（Channel State Information: ＣＳＩ）−ＲＳ構成によって構成されるＣＳＩ−ＲＳに基づいた経路損失推定値の関数であることを特徴とする、請求項１に記載の方法。
【請求項５】
前記第１の電力制御の数式は、第１のチャンネル状態情報（ＣＳＩ）−参照信号（ＲＳ）構成によって構成されるＣＳＩ−ＲＳに基づいた経路損失推定値の関数であり、
前記第２の電力制御の数式は、第２のＣＳＩ−ＲＳ構成によって構成されるＣＳＩ−ＲＳに基づいた経路損失推定値の関数であることを特徴とする、請求項１に記載の方法。
【請求項６】
前記ＩＥは、前記無線ネットワークの無線リソース制御（Radio Resource Control: ＲＲＣ）階層で送信されることを特徴とする、請求項１に記載の方法。
【請求項７】
前記ＩＥは、ダウンリンク制御情報（Downlink Control Information: ＤＣＩ）フォーマット０メッセージ及びＤＣＩフォーマット４メッセージのうちの少なくとも一つに含まれた少なくとも１−ビットフィールドであることを特徴とする、請求項１に記載の方法。
【請求項８】
少なくとも一つの基地局（Base Station: ＢＳ）を含む無線ネットワークにおいて、通信するためのユーザ端末機（User Equipment: ＵＥ）装置であって、
前記少なくとも一つのＢＳから、物理アップリンク共有チャンネル（Physical Uplink Shared Channel: ＰＵＳＣＨ）電力制御方法及びＰＵＳＣＨ復調参照信号（Demodulation Reference Signal: ＤＭＲＳ）生成方法のうちの少なくとも一つを構成するための情報要素（Information Element: ＩＥ）を受信し、前記ＩＥの状態によってＰＵＳＣＨ及び該ＰＵＳＣＨに対するＤＭＲＳを送信する送受信機と、
前記ＩＥの状態を決定し、前記ＩＥの状態によって前記ＰＵＳＣＨの送信電力を決定し、前記ＩＥの状態によって、前記ＰＵＳＣＨに対するＤＭＲＳのベースシーケンスを生成する制御機とを含み、
前記ＩＥの状態が第１の状態を指示する場合、前記制御機は、第１の電力制御の数式に応じて前記ＰＵＳＣＨの送信電力を決定し、
前記ＩＥの状態が第２の状態を指示する場合、前記制御機は、第２の電力制御の数式に応じて前記ＰＵＳＣＨの送信電力を決定することを特徴とする装置。
【請求項９】
前記ＩＥの状態が第１の状態を指示する場合、前記制御機は、前記少なくとも一つの基地局に相応するセルに対して割り当てられた物理セル識別子（ＩＤ）によって前記ベースシーケンスを生成し、
前記ＩＥの状態が第２の状態を指示する場合、前記制御機は、仮想セルＩＤによって前記ベースシーケンスを生成することを特徴とする、請求項８に記載の装置。
【請求項１０】
前記ＩＥの状態が第１の状態を指示する場合、前記制御機は、第１の仮想セル識別子（ＩＤ）によって前記ベースシーケンスを生成し、
前記ＩＥの状態が第２の状態を指示する場合、前記制御機は、第２の仮想セルＩＤによって前記ベースシーケンスを生成することを特徴とする、請求項８に記載の装置。
【請求項１１】
前記第１の電力制御の数式が、セル固有の参照信号（Cell-specific Reference Signal: ＣＲＳ）に基づいた経路損失推定値の関数であり、
前記第２の電力制御の数式は、チャンネル状態情報（Channel State Information: ＣＳＩ）−ＲＳ構成によって構成されるＣＳＩ−ＲＳに基づいた経路損失推定値の関数であることを特徴とする、請求項８に記載の装置。
【請求項１２】
前記第１の電力制御の数式は、第１のチャンネル状態情報（ＣＳＩ）−参照信号（ＲＳ）構成によって構成されるＣＳＩ−ＲＳに基づいた経路損失推定値の関数であり、
前記第２の電力制御の数式は、第２のＣＳＩ−ＲＳ構成によって構成されるＣＳＩ−ＲＳに基づいた経路損失推定値の関数であることを特徴とする、請求項８に記載の装置。
【請求項１３】
前記送受信機は、前記無線ネットワークの無線リソース制御（Radio Resource Control: ＲＲＣ）階層で前記ＩＥを受信することを特徴とする、請求項８に記載の装置。
【請求項１４】
前記送受信機は、ダウンリンク制御情報（Downlink Control Information: ＤＣＩ）フォーマット０メッセージ及びＤＣＩフォーマット４メッセージのうちの少なくとも一つに含まれた少なくとも一つの１−ビットフィールドとして前記ＩＥを受信することを特徴とする、請求項８に記載の装置。
【請求項１５】
少なくとも一つのユーザ端末機（User Equipment: ＵＥ）を含む無線ネットワークにおいて、通信するための基地局（ＢＳ）装置であって、
前記少なくとも一つのＵＥの物理アップリンク共有チャンネル（Physical Uplink Shared Channel: ＰＵＳＣＨ）電力制御方法及びＰＵＳＣＨ復調参照信号（Demodulation Reference Signal: ＤＭＲＳ）生成方法のうちの少なくとも一つを構成するための情報要素（Information Element: ＩＥ）の状態を決める制御機と、
前記少なくとも一つのＵＥに前記ＩＥを送信し、前記少なくとも一つのＵＥから、前記ＩＥの状態によってＰＵＳＣＨ及び該ＰＵＳＣＨに対するＤＭＲＳを受信し、前記ＩＥの状態によって前記ＰＵＳＣＨに対するＤＭＲＳのベースシーケンスを受信する送受信機とを含み、
前記ＩＥの状態が第１の状態を指示する場合、前記送受信機は、第１の電力制御の数式に応じて前記ＰＵＳＣＨの送信電力を受信し、
前記ＩＥの状態が第２の状態を指示する場合、前記送受信機は、第２の電力制御の数式に応じて前記ＰＵＳＣＨの送信電力を受信することを特徴とする装置。
【請求項１６】
前記制御機が、前記ＩＥが前記第１の状態を有すると決定する場合、前記ベースシーケンスは、基地局に相応するセルに対して割り当てられた物理セル識別子（ＩＤ）によって生成され、
前記制御機が、前記ＩＥが前記第２の状態を有すると決定する場合、前記ベースシーケンスは、仮想セルＩＤによって生成されることを特徴とする、請求項１５に記載の装置。
【請求項１７】
前記制御機が、前記ＩＥが前記第１の状態を有すると決定する場合、前記ベースシーケンスは、第１の仮想セル識別子（ＩＤ）によって生成され、
前記制御機が、前記ＩＥが前記第２の状態を有すると決定する場合、前記ベースシーケンスは、第２の仮想セルＩＤによって生成されることを特徴とする、請求項１５に記載の装置。
【請求項１８】
前記第１の電力制御の数式が、セル固有の参照信号（Cell-specific Reference Signal: ＣＲＳ）に基づいた経路損失推定値の関数であり、
前記第２の電力制御の数式は、チャンネル状態情報（Channel State Information: ＣＳＩ）−ＲＳ構成によって構成されるＣＳＩ−ＲＳに基づいた経路損失推定値の関数であることを特徴とする、請求項１５に記載の装置。
【請求項１９】
前記第１の電力制御の数式は、第１のチャンネル状態情報（ＣＳＩ）−参照信号（ＲＳ）構成によって構成されるＣＳＩ−ＲＳに基づいた経路損失推定値の関数であり、
前記第２の電力制御の数式は、第２のＣＳＩ−ＲＳ構成によって構成されるＣＳＩ−ＲＳに基づいた経路損失推定値の関数であることを特徴とする、請求項１５に記載の装置。
【請求項２０】
前記送受信機は、前記無線ネットワークの無線リソース制御（Radio Resource Control: ＲＲＣ）階層で前記ＩＥを送信することを特徴とする、請求項１５に記載の装置。
【請求項２１】
前記送受信機は、ダウンリンク制御情報（Downlink Control Information: ＤＣＩ）フォーマット０メッセージ及びＤＣＩフォーマット４メッセージのうちの少なくとも一つに含まれた少なくとも一つの１−ビットフィールドとして前記ＩＥを送信することを特徴とする、請求項１５に記載の装置。
【発明の詳細な説明】
【技術分野】
【０００１】
本発明は、無線通信システムにおけるアップリンク（uplink）送信のための装置及び方法に関する。特に、本発明は、無線通信システムにおいて、複数のアップリンク送信に対する協調マルチポイント（Coordinated Multi-Point:ＣｏＭＰ）送受信を提供するための装置及び方法に関する。
【背景技術】
【０００２】
移動端末機は、複数のユーザの間で無線通信を提供し、その人気が益々多くなるに従い、ユーザに増加されたデータ及び電話通信サービスを提供する。したがって、移動端末機は、現在、アラーム（alarm）機能と、ショートメッセージサービス（Short Message Service: ＳＭＳ）と、マルチメディアメッセージサービス（Multimedia Message Service: ＭＭＳ）と、電子メール（e-mail）と、ゲームと、近距離通信の遠隔制御と、搭載されたデジタルカメラを用いるイメージキャプチャ機能と、オーディオ及びビデオコンテンツを提供するマルチメディア機能と、スケジューリング機能と、類似した多くの他の機能のような、簡単な電話通話以外の多くの追加機能を提供する。したがって、移動端末機の使用増大及び移動端末機により提供される機能を消耗するより多数の帯域幅は、無線通信システムにおいて帯域幅への要求が大きくなってきた。
【０００３】
ロングタームエボリュ−ション（Long Term Evolution: ＬＴＥ）及びＬＴＥ−アドバンスト（LTE−Advanced: ＬＴＥ−Ａ）無線通信システムは、無線通信システムにおいて増加された帯域幅を提供するために識別され、開発されてきた。ＬＴＥ及びＬＴＥ−Ａシステムには、二つのタイプのアップリンク（Uplink: ＵＬ）参照信号（Reference Signal: ＲＳ）、即ち、復調ＲＳ（Demodulation ＲＳ： ＤＭＲＳ）及びサウンディングＲＳ（Sounding RS: ＳＲＳ）が存在する。物理アップリンク共有チャンネル（Physical Uplink Shared Channel: ＰＵＳＣＨ）送信に対しては、ＤＭＲＳが二つのシングルキャリア−周波数分割変調（Single Carrier-Frequency Division Modulation: ＳＣ−ＦＤＭ）シンボルを通じて送信され、ここで、一つのＳＣ−ＦＤＭシンボルは、サブフレームの２個のタイムスロット各々に配置される。ＳＲＳは、サブフレームの第２のタイムスロットに配置されている一個のＳＣ−ＦＤＭシンボルを通じて送信される。以下、ＬＴＥリリース−１０（Release-10: Ｒｅｌ−１０）の規格と互換可能な移動端末機（又はユーザ端末機（User Equipment: ＵＥ）のためのセル固有（cell-specific）のＵＬ  ＲＳベースシーケンス（base sequence）であってもよいＵＬ  ＲＳシーケンスを生成する方法を、説明する。
【０００４】
ＵＬ  ＲＳシーケンスを生成するために、ＵＥは、まず、ＣＡＺＡＣ（Constant Amplitude Zero Auto-Correlation）シーケンスであるベースＵＬ  ＲＳシーケンスを生成することができる。次に、上記ＵＥは、上記ベースＵＬ  ＲＳシーケンスに、サイクリックシフト（Cyclic Shift: ＣＳ）を適用し、上記ＣＳは０〜１１の値である。上記Ｒｅｌ−１０規格までの上記ＬＴＥ規格について、上記ベースＵＬ  ＲＳシーケンスは、物理セル-ｉｄの関数であるセル固有のＲＳシーケンスである。一般に、上記ＣＳ及び上記ベースＵＬ  ＲＳシーケンスは、小さいユーザ間の干渉（inter-user interference）を保持するか、又は上記複数のＵＥのＵＬ  ＲＳシーケンスが、相互間に直交的又は準直交的（quasi-orthogonal）となるように、上記複数のＵＥに割り当てられる。複数のＵＬ  ＲＳシーケンスは、これらが同一のベースＵＬ  ＲＳシーケンスから生成され、各々異なるＣＳを有する場合、互いに直交する。複数のＵＬ  ＲＳシーケンスは、これらのＣＳが異なるか否かの可否に関係なく、異なるＵＬ  ＲＳシーケンスから生成される場合、準-直交し、即ち、上記複数のＵＬ  ＲＳは、比較的に小さい相互相関（cross-correlation）を有する。
【０００５】
小型セルにおいて、複数のＵＥが、セル内の干渉（intra-cell interference）を招き得る、同一のＵＬ帯域幅内で多重化される場合、ユーザ間の干渉電力レベル（inter-user interference power level）は、比較的に高くなり得る。したがって、そのような場合において、上記ユーザ間の干渉を緩和するために、基地局は、上記複数のＵＬ  ＲＳシーケンスを直交化させてもよい。言い換えると、上記基地局は、上記同一のＵＬ帯域幅内で、各ＵＥに異なるＣＳを割り当てることができる。複数の異なるセルにおいて、複数の加入者端末が、セル間の干渉を招き得る、同一のＵＬ  ＢＷ内で多重化される場合、上記ユーザ間の干渉電力レベルは、比較的に低くてもよい。しかし、上記干渉が、所望の信号にコヒーレントに追加されないことを確実にするために、異なるベースシーケンスが各ＵＥに割り当てられてもよい。
【０００６】
上記ＬＴＥ規格は、３０個のベースＵＬ  ＲＳシーケンスグループを含み、各グループは、u＝０、１、．．．２８、２９によってインデックスされる。上記ＲＳシーケンスの長さが、６個のリソースブロック（Resource Block: ＲＢ）より大きいまたは等しい場合、又は８４個のサブキャリア（subcarrier）より大きいまたは等しい場合、グループ内では、上記グループに対して、v＝０、１によってインデックスされる２個のベースＲＳシーケンスが存在する。上記ＲＳシーケンスの長さが６個のＲＢより小さい場合、上記グループに対して１個のベースシーケンスのみが存在する。上述のように、ベースＵＬ  ＲＳシーケンスは、ＣＡＺＡＣシーケンスである。しかし、上記ベースＵＬ  ＲＳシーケンスは、その長さに基づいて異なるように生成される。
【０００７】
【数１】
0005955967.tif 000002
【０００８】
セル間の干渉をさらに低減するために、ＬＴＥシステムは、シーケンスホッピング（Sequence Hopping）及びグループホッピング（Group Hopping）を用いてもよく、ここで、ＵＬ  ＲＳのベースシーケンスグループインデックスuは、タイムスロットについて変更されてもよい。グループホッピングの場合、スロットnsにおいて、シーケンス−グループ番号uは、下記の数式２に応じて算出される。
【０００９】
【数２】
0005955967.tif 000003
【００１０】
【数３】
0005955967.tif 000004
【００１１】
【数４】
0005955967.tif 000005
【００１２】
【数５】
0005955967.tif 000006
【００１３】
【数６】
0005955967.tif 000007
【００１４】
【数７】
0005955967.tif 000008
【００１５】
【数８】
0005955967.tif 000009
【００１６】
【数９】
0005955967.tif 000010
【００１７】
図１は、関連技術によるＬＴＥシステムにおけるＵＬキャリアで複数のＰＲＢの１ペアにおけるＰＵＣＣＨリソース分割を示すダイアグラムである。
【００１８】
図１を参照すると、ＰＵＣＣＨリソースインデックス
【数１０】
0005955967.tif 000011
は、直交カバーコード（Orthogonal Cover Code: ＯＣＣ）及びＣＳを決定し、上記ＯＣＣ及びＣＳは、固有のリソースを指示するために組み合わせて用いられる。図１に示されているように、複数のＰＲＢの１ペアには、有用な３６個のＰＵＣＣＨリソースが存在し、ここで、ＯＣＣ値は３であり、ＣＳ値は１２である。
【００１９】
【数１１】
0005955967.tif 000012
【００２０】
【数１２】
0005955967.tif 000013
【００２１】
【数１３】
0005955967.tif 000014
【００２２】
【数１４】
0005955967.tif 000015
の場合、上記ＰＵＣＣＨがマップされるサブフレームの２個のスロットに含まれている２個のリソースブロック中の上記リソースインデックスは、下記の数式９により決定される。
【００２３】
【数１５】
0005955967.tif 000016
【００２４】
【数１６】
0005955967.tif 000017
の場合、上記ＰＵＣＣＨがマップされるサブフレームの２個のスロットに含まれている２個のリソースブロック中の上記リソースインデックスは、下記の数式１０により決定される。
【００２５】
【数１７】
0005955967.tif 000018
【００２６】
【数１８】
0005955967.tif 000019
【００２７】
【数１９】
0005955967.tif 000020
【００２８】
【数２０】
0005955967.tif 000021
【００２９】
【表１】
0005955967.tif 000022
【００３０】
図２は、関連技術によるＵＬサブセル分割（sub-cell splitting）を示す図である。
【００３１】
図２を参照すると、ＬＴＥシステムにおいて、ＣｏＭＰ動作又は機能性について、ＣｏＭＰ動作に対する上記配置シナリオのうちの一つは、ＣｏＭＰシナリオ４（ＣｏＭＰ  Scenario ４）と呼称してもよい。ＣｏＭＰシナリオ４は、ネットワークがマクロセルカバレッジ領域内で、低電力遠隔無線ヘッド（Remote Radio Head: ＲＲＨ）を有し、上記ＲＲＨにより生成される送信及び／又は受信ポイントが、上記マクロセルと同様のセル識別子（Identifier: ＩＤ）を有している場合であってもよい。上記のような場合において、上記セル固有の参照信号（Cell-Specific Reference Signal: ＣＲＳ）は、全ての送信ポイント（Transmission Point: ＴＰ）により送信されてもよいが、各ＴＰは、ＴＰ固有のＣＳＩ−ＲＳである上記各ＴＰ自体のチャンネル状態情報（Channel State Information: ＣＳＩ）−ＲＳを送信する。ダウンリンク（DownLink: ＤＬ）データ送信については、ＵＥは、上記ＴＰ又は最適のＤＬ信号の品質を有するＴＰの集合からダウンリンクデータを受信してもよい。上記ＴＰの空間的分離により、互いに効率的に分離されるＴＰにおけるＤＬリソースは、サブセル分割利得を獲得するために再使用してもよい。
【００３２】
上記ＣＳＩ−ＲＳは、次のような説明によって定義されてもよく、ＣＳＩ−ＲＳ−Ｃｏｎｆｉｇ情報要素（Information Element: ＩＥ）は、上記ＣＳＩ−ＲＳ構成を特定するために用いられてもよい。上記ＣＳＩ−ＲＳ−ＣｏｎｆｉｇＩＥは、下記の表２に示し、上記ＣＳＩ−ＲＳ−ＣｏｎｆｉｇＩＥのフィールドは、以下に示されたような表３によって定義される。
【００３３】
【表２】
0005955967.tif 000023
【００３４】
【表３】
0005955967.tif 000024
【００３５】
【数２１】
0005955967.tif 000025
【００３６】
【数２２】
0005955967.tif 000026
【００３７】
規定のサイクリックプレフィックスについてのｎｓにおいて、量（ｋ´、ｌ´）及び必須条件は、下記の表４に表す。
【００３８】
【表４】
0005955967.tif 000027
【００３９】
【数２３】
0005955967.tif 000028
【００４０】
【表５】
0005955967.tif 000029
【００４１】
パラメータICSI-RSは、ＵＥが非ゼロ（non-zero）送信電力及び０（zero）送信電力を仮定するＣＳＩ参照信号について別途に構成されてもよい。ＣＳＩ−ＲＳを含むサブフレームは、下記の数式１３を満たすことができる。
【００４２】
【数２４】
0005955967.tif 000030
【００４３】
図３は、関連技術による拡張された物理ＤＬ制御チャンネル（Enhanced-Physical DL Control Channel: Ｅ−ＰＤＣＣＨ）を示す図面である。
【００４４】
図３を参照すると、ＬＴＥリリース１１（Release-11: Ｒｅｌ−１１）について、上記Ｅ−ＰＤＣＣＨは、セル内でＤＬ制御容量を増加させ、ＤＬ制御に対するセル間の干渉を緩和するために論議されている。Ｅ−ＰＤＣＣＨは、図３に示されているように、物理ＤＬ共有チャンネル（Physical DL Shared Channel: ＰＤＳＣＨ）領域に配置されてもよく、上記Ｅ−ＰＤＣＣＨは、上記Ｅ−ＰＤＣＣＨを受信するために構成されたＬＴＥＲｅｌ−１１ＵＥにＤＬ制御シグナリングを伝達することができる。
【００４５】
上記ＵＬについての再使用技術は、図２を参照して上述のようなＤＬに利用される再使用技術と類似である。上記ＵＬの場合、上記セルで上記ＵＥの位置に基づいて、上記ＵＥは、上記ＴＰ又は好適のアップリンク信号の品質を有するＴＰの集合に信号を送信してもよい。上記ＴＰの空間的分離（isolation）により、互いに十分に分離できるＴＰにおいて、アップリンクリソースは、サブセル分割利得（sub-cell splitting gain）を獲得するために再使用されてもよい。図２に示されているように、ＵＥが上記複数のＲＲＨのうちの任意のＲＲＨから離れている場合、上記ＵＥは、上記セルで基地局と呼ばれてもよい上記マクロ−向上されたノードＢ（enhanced Node B: ｅＮＢ）及び他のＲＲＨ  ＴＰに連結するためにＴＰ−共通送信（TP-common transmission）を用いてもよい。一方、ＵＥが一つ又はそれ以上のＲＲＨと近い場合、上記ＵＥは、上記ネットワークと通信するために、ＴＰ−固有の送信を用いてもよい。図２において、点線は、上記マクロ−ｅＮＢ及び上記ＲＲＨの両方により受信されるＴＰ−共通アップリンク送信を指し、実線は、近所のＴＰのみにより受信されるＴＰ−固有のアップリンク送信を指す。
【００４６】
上記ＤＬ及びＵＬの両方について、ＴＰ固有の送信のために、上記ＴＰは二つの方法によって決定されてもよい。第一の方法において、複数のＴＰは、ＳＲＳ、ＰＵＣＣＨ、ＰＵＳＣＨ、及び他の適合なＵＬ信号のうちの少なくとも一つを介してＵＥのＵＬ信号の測定値によって選択される。例えば、複数のＴＰは、上記ＵＥのＵＬ信号を聴取し、上記ネットワークは、上記ＵＥのＵＬ信号の上記ＴＰの測定値に基づいて、上記ＴＰ固有の送信に対する各ＵＥのＴＰを決定する。上記ＴＰ固有の送信に対するＴＰを決定する第２の方法の他の好適な実施形態により、ＴＰは、ＵＥの上記ＣＳＩ−ＲＳの測定値によって選択される。例えば、上記ＵＥは、上記ＣＳＩ−ＲＳを測定し、参照信号受信電力（Reference Signal Receive Power: ＲＳＲＰ）又は他の類似した信号の測定値のような測定値を、上記ネットワークに報告する。したがって、上記ネットワークは、上記ＵＥの測定値の報告に従って、上記ＴＰ固有の送信に対する各ＵＥのＴＰを決定する。
【００４７】
ＬＴＥＲｅｌ−１０まで、ＣＲＳは、上記経路損失（Pathloss: ＰＬ）の推定のために用いられる。ＣＲＳの集合が所定のセルに対して固有に定義されるので、ＣＲＳ基盤のＰＬ推定は、セルラー配置シナリオに対してよく動作し、ここで、所定のセルの複数のＴＰは集中化され、上記複数のＴＰの送信電力及び他の能力について均一である。しかし、単一セルＩＤを有する領域内で、マクロ−ｅＮＢ及び分散されたＲＲＨを全て含むシステムのような不均一シナリオ（non-uniform scenario）について、ＣＲＳ基盤のＰＬ推定は、全てのＴＰについて上記チャンネル品質の「平均化された（averaged）」バージョンを測定する。ここで、上記ＣＲＳは、単一周波数ネットワーク（Single Frequency Network: ＳＦＮ）方式で、上記全てのＴＰにより送信される。したがって、上記ＣＲＳ基盤のＰＬ推定は、上記ＵＥと上記全てのＴＰのうち、個別的なＴＰ間の物理チャンネル品質と関連されることはできない。
【００４８】
より詳しくは、図２を参照して、分散されたＲＲＨを有する多重入力多重出力（Multi-Input Multi-Output: ＭＩＭＯ）システムには、ＵＥ１ないしＵＥ３各々に対して、異なるＰＬ推定値が存在してもよい。例えば、上記マクロ−ｅＮＢが４３ｄＢｍで送信し、上記ＲＲＨが２３ｄＢｍで送信する場合、ＰＬ推定値は、次のような方法から算出してもよい。第１の方法によると、ＣＲＳ基盤のＰＬ推定値について、全てのＲＲＨは、ターンオフ（turn off）され、したがって、上記マクロ−ｅＮＢは活性化され、ＲＳＲＰ＝−８０ｄＢｍであり、ＰＬ_１推定値＝４３ｄＢ＋８０ｄＢ＝１２３ｄＢである。第２の方法によると、ＣＲＳ基盤のＰＬ推定値について、上記複数のＣＲＳは、上記ＳＦＮ方式で全てのＴＰにより送信され、ＲＳＲＰ＝−６５ｄＢｍ（全てのノードから平均された）であり、ＰＬ_２推定値＝４３ｄＢ＋６５ｄＢ＝１０８ｄＢである。これとは対照的に、上記ＲＲＨについての実際のＰＬに対して、正確な基底電力を用いる場合、上記ＲＲＨについてのみ、ＲＳＲＰ＝−６７ｄＢｍであり、上記実際のＰＬ_３推定値＝２３ｄＢ＋６７ｄＢ＝９０ｄＢである。
【００４９】
以上から分かるように、１０８ｄＢの上記ＰＬ_２推定値は、上記ＵＥが近所のＲＲＨと受ける９０ｄＢである上記実際のＰＬ_３を通じて概略１８ｄＢである。即ち、特定の近所のＲＲＨをターゲットとするＴＰ固有の送信について、上記ＬＴＥＲｅｌ−１０ＵＬ  ＰＣ数式及びＰＬ推定値を用いることにより、ＵＥは、上記ＲＲＨに到達するために必要なレベル以上に電力レベル１８ｄＢで送信する。また、上記過大評価は、基本的に、ＬＴＥＲｅｌ−１０において、セルに対する１個の単一値としてのみ設定できる上記ＣＲＳと基底ＲＳ電力の誤った仮定の結果であることに留意すべきである。したがって、上記より高い電力レベルの送信によりＵＥ電力の無駄遣い及びネットワーク干渉の増加が生じる。
【００５０】
上述のように、上記ＲＳＲＰは、測定される上記周波数帯域幅内で、セル固有の参照信号を伝達するリソース要素の電力寄与（power contribution）（ワットで）の線形平均であってもよい。セル固有の参照信号Ｒ０は、上記ＲＳＲＰを決定するために用いられてもよい。しかし、上記ＵＥが参照信号Ｒ１が有用であることを確実に検出する場合、上記ＲＳＲＰは、Ｒ１及びＲ０によって決定されることができる。上記ＲＳＲＰを決定するための上記ＵＥにおける基準ポイントは、上記ＵＥのアンテナコネクター（antenna connector）であってもよい。しかし、受信機のダイバーシティ（diversity）が上記ＵＥにより用いられる場合、上記報告されたＲＳＲＰは、上記受信機のダイバーシティで用いられる任意の個別ブランチのＲＳＲＰ値より低くなくてもよい。
【００５１】
従って、無線通信システムにおいて、アップリンク送信のためのより効率的なＣｏＭＰ送信及び受信を提供する装置及び方法が必要となっている。
【００５２】
上記の情報は、本開示の理解を助けるための背景情報として提示されるだけである。上記内容のうち、いずれも本発明に関する先行技術として適用可能であるか否かについて、何らかの決定がなされず、また何らかの主張がなされない。
【発明の概要】
【発明が解決しようとする課題】
【００５３】
本発明の態様は、少なくとも上述のような問題及び／又は不利点を解決し、少なくとも以下に説明する利得を提供することにある。したがって、本発明の一態様は、無線通信システムにおいて、アップリンク送信に対する協調マルチポイント（Coordinated Multi-Point: ＣｏＭＰ）送受信を提供するための装置及び方法を提供する。
【課題を解決するための手段】
【００５４】
本発明の一態様によると、少なくとも一つの基地局（Base Station: ＢＳ）を含む無線ネットワークにおけるユーザ端末機（User Equipment: ＵＥ）の方法が提供される。上記方法は、少なくとも一つのＢＳから、物理アップリンク共有チャンネル（Physical Uplink Shared Channel: ＰＵＳＣＨ）電力制御方法及びＰＵＳＣＨ復調参照信号（Demodulation Reference Signal: ＤＭＲＳ）生成方法のうちの少なくとも一つを構成するための情報要素（Information Element: ＩＥ）を受信する過程と、上記ＩＥの状態を決定する過程と、上記ＩＥの状態によってＰＵＳＣＨ及び該ＰＵＳＣＨに対するＤＭＲＳを送信する過程とを含み、上記ＰＵＳＣＨの送信電力は、上記ＩＥの状態に応じて制御され、上記ＩＥの状態が第１の状態を指示する場合、上記ＰＵＳＣＨの送信電力は、第１の電力制御の数式によって決められ、上記ＩＥの状態が第２の状態を指示する場合、上記ＰＵＳＣＨの送信電力は、第２の電力制御の数式によって決められ、上記ＰＵＳＣＨに対するＤＭＲＳのベースシーケンスは、上記ＩＥの状態によって生成されることを特徴とする。
【００５５】
本発明の他の態様によると、少なくとも一つの基地局（Base Station: ＢＳ）を含む無線ネットワークにおいて、通信するためのユーザ端末機（User Equipment: ＵＥ）装置が提供される。上記装置は、少なくとも一つのＢＳから、物理アップリンク共有チャンネル（Physical Uplink Shared Channel: ＰＵＳＣＨ）電力制御方法及びＰＵＳＣＨ復調参照信号（Demodulation Reference Signal: ＤＭＲＳ）生成方法のうちの少なくとも一つを構成するための情報要素（Information Element: ＩＥ）を受信し、上記ＩＥの状態によってＰＵＳＣＨ及び該ＰＵＳＣＨに対するＤＭＲＳを送信する送受信機と、上記ＩＥの状態を決定し、上記ＩＥの状態によって上記ＰＵＳＣＨの送信電力を決定し、上記ＩＥの状態によって上記ＰＵＳＣＨに対するＤＭＲＳのベースシーケンスを生成する制御機とを含み、上記ＩＥの状態が第１の状態を指示する場合、上記制御機は、第１の電力制御の数式に応じて上記ＰＵＳＣＨの送信電力を決定し、上記ＩＥの状態が第２の状態を指示する場合、上記制御機は、第２の電力制御の数式に応じて上記ＰＵＳＣＨの送信電力を決定することを特徴とする。
【００５６】
本発明のまた他の態様によると、少なくとも一つのユーザ端末機（User Equipment: ＵＥ）を含む無線ネットワークにおいて、通信するための基地局（Base Station: ＢＳ）装置が提供される。上記装置は、少なくとも一つのＵＥの物理アップリンク共有チャンネル（Physical Uplink Shared Channel: ＰＵＳＣＨ）電力制御方法及びＰＵＳＣＨ復調参照信号（Demodulation Reference Signal: ＤＭＲＳ）生成方法のうちの少なくとも一つを構成するための情報要素（Information Element: ＩＥ）を生成する制御機と、上記ＵＥに上記ＩＥを送信し、上記ＵＥから、上記ＩＥの状態によってＰＵＳＣＨ及び該ＰＵＳＣＨに対するＤＭＲＳを受信し、上記ＩＥの状態によって上記ＰＵＳＣＨに対するＤＭＲＳのベースシーケンスを受信する送受信機とを含み、上記ＩＥの状態が第１の状態を指示する場合、上記送受信機は、第１の電力制御の数式に応じて上記ＰＵＳＣＨの送信電力を受信し、上記ＩＥの状態が第２の状態を指示する場合、上記送受信機は、第２の電力制御の数式に応じて上記ＰＵＳＣＨの送信電力を受信することを特徴とする。
【００５７】
本発明の他の多数の態様、その利点及び核心的な特徴は、添付の図面と共に、本発明の好適な実施形態を開示する以下の詳細な説明から当該技術分野における通常の知識を有する者には明らかである。
【００５８】
本発明の特定の好ましい実施形態の上述のような、また他の態様、特徴及び利点は、添付の図面と共に、後述の説明からより明らかとなる。
【図面の簡単な説明】
【００５９】
【図１】関連技術によるＬＴＥ（Long Term Evolution）システムにおけるアップリンクキャリアで、物理リソースブロック（ＰＲＢ）の１ペアにおける物理アップリンク制御チャンネル（ＰＵＣＣＨ）リソース分割を示すダイアグラムである。
【図２】関連技術によるＵＬサブセル分割を示す図である。
【図３】関連技術による拡張された物理ダウンリンク制御チャンネル（Ｅ−ＰＤＣＣＨ）を示す図である。
【図４】本発明の一実施形態によるＵＬ送信を示す図面である。
【図５Ａ】本発明の多様な実施形態によるメディアアクセス制御（ＭＡＣ）制御要素（ＣＥ）を示す図面である。
【図５Ｂ】本発明の多様な実施形態によるメディアアクセス制御（ＭＡＣ）制御要素（ＣＥ）を示す図面である。
【図６】本発明の多様な実施形態による遠隔無線ヘッド（ＲＲＨ）を含む無線通信システムについての経路損失（ＰＬ）推定値を示す図面である。
【図７】本発明の多様な実施形態によるタイミングアドバンス（ＴＡ）についてのＭＡＣ  ＣＥを示す図面である。
【図８】本発明の一実施形態による、少なくとも一つの基地局（ＢＳ）を含む無線ネットワークにおけるユーザ端末機（ＵＥ）の方法を示す図面である。
【図９】本発明の一実施形態による、少なくとも一つのＵＥを含む無線ネットワークにおけるＢＳの方法を示す図面である。
【図１０】本発明の一実施形態による無線ネットワークにおける受信機を示すブロックダイアグラムである。
【図１１】本発明の一実施形態による無線通信システムにおける送信機を示すブロックダイアグラムである。
【００６０】
上記図面を通して、類似の参照番号は、同一又は類似の要素、特徴及び構造を示すために用いられることに留意すべきである。
【発明を実施するための形態】
【００６１】
添付の図面を参照する以下の説明は、特許請求の範囲及びこれと均等なものにより定められた本発明の多様な実施形態の包括的な理解を助けるために提供される。添付の図面を参照する以下の説明は、この理解を助けるために様々な特定の詳細を含むが、これらは単に実例と看做される。従って、本発明の範囲及び趣旨を逸脱することなく、ここで説明する実施形態の様々な変更及び修正が可能であることは、当該技術分野における通常の知識を有する者には明らかである。また、明瞭性と簡潔性の観点から、当業者に良く知られている機能や構成に関する具体的な説明は省略する。
【００６２】
以下の詳細な説明において用いられた用語及び単語、並びに特許請求の範囲の記載は、書誌的な意味に制限されず、本発明者により、本発明の明白で一貫した理解を可能とするために用いるだけである。従って、本発明の多様な実施形態についての以下の説明は、添付の特許請求の範囲及びこれと均等なものの範囲内で定められる本発明を制限する目的ではなく、説明目的のためにだけ提供されることは、当該技術分野における通常の知識を有する者には明らかである。
【００６３】
明細書において明確に言及しない限り、「a」、「an」、及び「the」の単数形態は、複数の対象を含む。例えば、「構成要素表面（component surface）」は、そのような表面のうちの一つ又はそれ以上についての説明を含む。
【００６４】
用語「実質的に（substantially）」は、詳述の特性、パラメータ、又は値が正確に達成される必要はないが、一例として、当該技術分野における通常の知識を有する者に知られた慣用と、測定エラーと、測定の正確度の限界と、他の要因とを含む、偏差又は変更は、上記特性が提供することを意図した効果を不可能としない程度で生じてもよいことを意味する。
【００６５】
本発明の多様な実施形態は、無線通信システムにおけるアップリンク送信のための装置及び方法を含む。
【００６６】
図４は、本発明の一実施形態によるアップリンク（ＵＬ）送信を示す図である。
【００６７】
図４を参照すると、協調マルチポイント（Coordinated Multi-Point:ＣｏＭＰ）送信及び／又は受信を実行するロングタームエボリュ−ション（Long Term Evolution: ＬＴＥ）−アドバンスト（LTE−Advanced: ＬＴＥ−Ａ）リリース‐１１（Release-11: Ｒｅｌ−１１）システムにおいて、特定のＣｏＭＰシナリオは、一般に、「ＣｏＭＰシナリオ４（CoMP scenario 4）」と称されてもよい。上記ＣｏＭＰシナリオ４は、図４に示されているように、中央制御機が、マクロ−向上されたノードＢ（ｅＮＢ）及び上記マクロ−ｅＮＢカバレッジ領域に位置している多数の遠隔無線ヘッド（Remote Radio Head: ＲＲＨ）のような複数の送信ポイント（Transmission Point: ＴＰ）を制御し、１個の物理セル識別子（Identifier: ＩＤ）が上記マクロ−ｅＮＢ及びＲＲＨに割り当てられる場合である。第３世代パートナーシッププロジェクト（3rd Generation Partnership Project:３ＧＰＰ）ＬＴＥリリース−１０（Ｒｅｌ−１０）のようなレガシー（legacy）ＬＴＥ規格に従い、ＴＰがＵＬデータ信号を受信するかに関係なく、ユーザ端末機（User Equipment: ＵＥ）は、上記ＵＥのセルへの初期アクセス手続きの間、獲得される上記物理セルＩＤと、上記ＵＥが進み込んだセルに対してそれぞれ構成されたパラメータとによって、ＵＬ‐参照信号（Reference Signal: ＲＳ）ベースシーケンスを生成する。
【００６８】
したがって、マクロ−ｅＮＢ４００、ＲＲＨ４０１及びＲＲＨ４０２が、図４に示されているように、異なるＵＥ４０３〜４０８から同一の周波数帯域で信号を同時に受信する場合、上記ＵＥ４０３〜４０８各々で受信される他のＴＰからの干渉は、上記ＵＥ４０３〜４０８各々の所望の信号各々にコヒーレントに（coherently）追加することができ、上記の所望の信号は、上記干渉信号と区別が付かない。したがって、本発明の一実施形態によると、ＵＥ固有（ＵＥ−specific）又はＴＰ固有のＵＬ  ＲＳベースシーケンスは、コヒーレントに追加された信号を軽減するために、Ｒｅｌ−１１ＵＥに対して生成されることができる。
【００６９】
同時に、Ｒｅｌ−１１、Ｒｅｌ−１０、及びＲｅｌ−９ＵＥの多数ユーザ（Multi-User: ＭＵ）多重入力多重出力（Multi-input Multi-output: ＭＩＭＯ）ＵＥペアリング（paring）を可能とするために、レガシーＵＥ−ＲＳスクランブリング（scrambling）は、Ｒｅｌ−１１ＵＥに対しても用いることができる。上記ＵＥ−ＲＳスクランブリングは、二つの方法に従って、Ｒｅｌ−１１ＵＥに対して有効（enable）とすることができる。第一に、ＵＬ  ＲＳベースシーケンス生成方法は、ダウンリンク（DownLink: ＤＬ）及び／又はＵＬグラント（grant）ＤＬ制御情報（DL Control Information: ＤＣＩ）フォーマットで動的に指示されてもよい。特に、ＵＬ  ＲＳベースシーケンス生成方法は、ＵＥ固有、ＴＰ固有及びＲｅｌ−１０互換可能のＵＬ  ＲＳベースシーケンスのうちの少なくとも２個から動的に割り当てられてもよい。第二に、ＵＬ  ＲＳベースシーケンス生成方法は、ＤＬ及び／又はＵＬグラントＤＣＩフォーマットで準静的（semi-static）に指示されてもよい。特に、ＵＬ  ＲＳベースシーケンス生成方法は、ＵＥ固有、ＴＰ固有及びＲｅｌ−１０互換可能のＵＥ−ＲＳスクランブリングのうちの少なくとも２個から準静的に指示されてもよい（例えば、無線リソース制御（Radio Resource Control: ＲＲＣ）シグナリングを通じて）。
【００７０】
図４を参照すると、異種ネットワークにおけるサブフレームｎ及びサブフレームｎ＋１において、代表的なアップリンク送信が示されている。図４に示されているように、ＵＥ４０３はＲｅｌ−１０ＵＥであり、一方では、他のＵＥ４０４〜４０８は、全てＲｅｌ−１１ＵＥである。図４に示されているネットワークにおいて、以下のような送信がサブフレームｎで発生される。上記ネットワークは、ＵＥ４０７がＲＲＨ４０１に近く位置し、ＵＥ４０８は、ＲＲＨ４０２に近く位置するように、互いに遠く離れて位置しているＵＥ４０７及びＵＥ４０８に対して、同一の物理リソースブロック（Physical Resource Block: ＰＲＢ）のスケジューリングを行う。ＵＥ４０７及びＵＥ４０８に対してスケジューリングを行った同一のＰＲＢは、ＵＥ固有又はＴＰ固有の電力制御のような適切な電力制御メカニズムを用いて、サブフレームｎに存在している。また、ＲＲＨ４０１及びＲＲＨ４０２からの２個のＵＬ  ＲＳは、異なるＵＬ  ＲＳベースシーケンスが、各ＵＥに割り当てられるため、各受信機、即ち、各ＵＥでコヒーレントに結合されない。そして、上記ネットワークは、ＭＵ−ＭＩＭＯ多重化を行い、上記Ｒｅｌ−１０ＵＥ４０３の復調性能に影響を及ばず、上記Ｒｅｌ−１１ＵＥ４０４及びＲｅｌ−１０ＵＥ４０３に対して、直交ＵＬ  ＲＳを割り当てる。また、上記ネットワークは、ＭＵ−ＭＩＭＯ多重化を行い、ＵＥ４０５及びＵＥ４０６の２個のＲｅｌ−１１ＵＥに対して、直交ＵＬ  ＲＳを割り当てる。
【００７１】
一方、サブフレームｎ＋１において、ＵＥ４０４及びＵＥ４０５は、ターンオフされるか、又は他の類似した状況又は条件となる、完了したデータ送信を有するものなどのような理由で、信号を送信しない。上記ネットワークについてのＵＥの個数が変化することにより、サブフレームｎ＋１で次の送信が発生される。上記ネットワークは、ＵＥ４０７及びＵＥ４０８に対して、同一のＰＲＢのスケジューリングを行い、ここで、ＵＥ４０７はＲＲＨ４０１に近く位置し、ＵＥ４０８は、ＲＲＨ４０１から遠く離れて配置されるように、ＲＲＨ４０２に近く位置している。ＵＥ４０７及びＵＥ４０８に対するＰＲＢは、適切な電力制御メカニズム、例えば、ＵＥ固有又はＴＰ固有の電力制御を用いて、同一のサブフレームｎ＋１に存在するようスケジューリングを行う。また、ＲＲＨ４０１及びＲＲＨ４０２からの２個のＵＬ  ＲＳは、各受信機で異なるＵＬ  ＲＳベースシーケンスを割り当てる上記ネットワークにより、上記各受信機、即ち、上記ＵＥでコヒーレントに結合されない。上記ネットワークは、ＭＵ−ＭＩＭＯ多重化を行い、上記Ｒｅｌ−１０ＵＥ４０３の復調性能に影響を及ばさず、上記Ｒｅｌ−１１ＵＥ４０６及びＲｅｌ−１０ＵＥ４０３に対して直交ＵＬ  ＲＳを割り当てる。
【００７２】
上記ネットワークの処理量を増加するために、また実装及び／又はスケジューリングにおける柔軟性を提供するために、上記ネットワークは、これらの多様な動的送信方式を効率的にサポートすることができる。したがって、これらの多様な動的送信方式を可能とするために、図４に示されているように、Ｒｅｌ−１１ＵＥのようなアドバンストＵＥについての制御信号の設計は、本発明の好適な実施形態により以下に説明する。
【００７３】
【数２５】
0005955967.tif 000031
【００７４】
【数２６】
0005955967.tif 000032
【００７５】
【数２７】
0005955967.tif 000033
【００７６】
【数２８】
0005955967.tif 000034
【００７７】
【数２９】
0005955967.tif 000035
【００７８】
【数３０】
0005955967.tif 000036
【００７９】
【数３１】
0005955967.tif 000037
【００８０】
上記で説明したように、ＵＥ固有の上記ＵＬ  ＲＳベースシーケンスとは対照的に、ＴＰ固有のＵＬ  ＲＳベースシーケンスを、以下に説明する。本発明の好適な実施形態により、ＵＥは、特定のＴＰに対して生成されたＵＬ  ＲＳを送信することができる。より詳しくは、ＵＬ  ＲＳベースシーケンスは、少なくとも部分的に、上記従来技術の部分で説明したＣＳＩ−ＲＳ−Ｃｏｎｆｉｇのような上記各ＵＥのＣＳＩ−ＲＳ構成の仮想セルＩＤ、ｒｅｓｏｕｒｃｅＣｏｎｆｉｇ、ｓｕｂｆｒａｍｅＣｏｎｆｉｇ及びａｎｔｅｎｎａＰｏｒｔｓＣｏｕｎｔのうちの少なくとも一つによって生成される。
【００８１】
【数３２】
0005955967.tif 000038
【００８２】
本発明の好適な実施形態により、上記ＣｏＭＰシナリオ４のためのＣＳＩ−ＲＳ構成に用いられるシグナリング以外に、ソフトセル−分割を可能とするためのＵＥ−ＲＳスクランブリング初期値を構成するために用いられる追加のシグナリングが全くか殆どない。また、異なるＴＰは、種々異なる時間−周波数リソースで各ＣＳＩ−ＲＳを送信するため、ＣＳＩ−ＲＳ構成は、各ＴＰ間に異なってもよい。したがって、異なるＴＰ又は受信ポイント（Receive Point: ＲＰ）に送信中のＵＥは、異なるＵＬ  ＲＳベースシーケンスを有する各ＵＬ  ＲＳを送信する。例えば、ＵＥが２個の異なるＴＰに対して、それぞれ固有である２個の異なるＵＬ  ＲＳを生成する場合、第１のＴＰ固有のＵＬ  ＲＳは、上記ＵＥの第１のＣＳＩ−ＲＳ構成を用いて生成され、第２のＴＰ固有のＵＬ  ＲＳは、上記ＵＥの第２のＣＳＩ−ＲＳ構成を用いて生成される。
【００８３】
図４を参照すると、マクロ−ｅＮＢ４００は、第１のＣＳＩ−ＲＳ構成、ＣＳＩ−ＲＳ−Ｃｏｎｆｉｇ−１によってＣＳＩ−ＲＳを送信してもよく、ＲＲＨ４０１は、第２のＣＳＩ−ＲＳ構成、ＣＳＩ−ＲＳ−Ｃｏｎｆｉｇ−２によってＣＳＩ−ＲＳを送信してもよく、ＲＲＨ４０２は、第３のＣＳＩ−ＲＳ構成、ＣＳＩ−ＲＳ−Ｃｏｎｆｉｇ−３によってＣＳＩ−ＲＳを送信してもよい。上記三つのＣＳＩ−ＲＳ構成は、次のように定義される。 上記ＣＳＩ−ＲＳ−Ｃｏｎｆｉｇ−１は、少なくとも次のようなフィールドを含む：ｒｅｓｏｕｒｃｅＣｏｎｆｉｇ ＝ＲＣ１、ｓｕｂｆｒａｍｅＣｏｎｆｉｇ＝ＳＣ１、ａｎｔｅｎｎａＰｏｒｔｓＣｏｕｎｔ＝ＡＰＣ１、及びｖｉｒｔｕａｌＣｅｌｌＩＤ＝ＶＣＩＤ１。上記ＣＳＩ−ＲＳ−Ｃｏｎｆｉｇ−２は、少なくとも次のようなフィールドを含む：ｒｅｓｏｕｒｃｅＣｏｎｆｉｇ＝ＲＣ２、ｓｕｂｆｒａｍｅＣｏｎｆｉｇ＝ＳＣ２、ａｎｔｅｎｎａＰｏｒｔｓＣｏｕｎｔ＝ＡＰＣ２、及びｖｉｒｔｕａｌＣｅｌｌＩＤ＝ＶＣＩＤ２。上記ＣＳＩ−ＲＳ−Ｃｏｎｆｉｇ−３は、少なくとも次のようなフィールドを含む：ｒｅｓｏｕｒｃｅＣｏｎｆｉｇ＝ＲＣ３、ｓｕｂｆｒａｍｅＣｏｎｆｉｇ＝ＳＣ３、ａｎｔｅｎｎａＰｏｒｔｓＣｏｕｎｔ＝ＡＰＣ３、及びｖｉｒｔｕａｌＣｅｌｌＩＤ＝ＶＣＩＤ３。本発明の好適な実施形態において、図４を参照すると、ＵＥ４０４と、ＵＥ４０５と、ＵＥ４０６とは、Ｒｅｌ−１１で導入された特徴のみならず、Ｒｅｌ−１０の特徴を全て実現できるアドバンスト（advanced）ＵＥである。
【００８４】
【数３３】
0005955967.tif 000039
【００８５】
【数３４】
0005955967.tif 000040
【００８６】
【数３５】
0005955967.tif 000041
【００８７】
【数３６】
0005955967.tif 000042
【００８８】
以下、上記ＴＰ固有のＵＬ  ＲＳを初期化する追加の方法を説明する。図４を参照すると、また好適な実施形態によると、上記ＵＥ４０４は、ＣＳＩ−ＲＳ−Ｃｏｎｆｉｇ−１を用いて構成されてもよく、ＵＥ４０４は、ベースシーケンス
【数３７】
0005955967.tif 000043
を用いて生成されたＰＵＳＣＨ  ＤＭＲＳ、ＳＲＳ及びＰＵＣＣＨのうちの少なくとも一つを送信し、ここで、上記シーケンスグループ番号ｕは、ＲＣ１、ＳＣ１、ＡＰＣ１及び追加のパラメータ、例えば、Ｘのうちの少なくとも一つに基づいて生成される。上記追加のパラメータＸは、以前の好適な実施形態について上記で説明したような方式でシグナルされた１−ビット量であってもよい。
【００８９】
【数３８】
0005955967.tif 000044
【００９０】
【数３９】
0005955967.tif 000045
【００９１】
【数４０】
0005955967.tif 000046
【００９２】
図５Ａ及び図５Ｂは、本発明の多様な実施形態によるＭＡＣ  ＣＥを示す。
【００９３】
図５Ａ及び図５Ｂを参照すると、上記ＣＳＩ−ＲＳ構成が、上記ＭＡＣ制御要素シグナリングによって選択される場合、頻繁なＲＲＣの再構成は、
【数４１】
0005955967.tif 000047
とＶＣＩＤのうちの少なくとも一つの頻繁な再構成が存在する場合に避けられてもよい。図５Ａは、上記１−ビット情報のビットであるビットＡと、予約されたビットであるビットＲを有する新しいＭＡＣ  ＣＥを示す。これと別に、図５Ｂに示されているように、上記シグナリングビットは、上記ターゲットＴＰに対するタイムアドバンスコマンドＭＡＣ  ＣＥ（Time Advance Command MAC CE）のような、上記ターゲットＴＰに対する上記制御シグナリングを伝達する他のＭＡＣ  ＣＥに含まれてもよい。上記タイムアドバンスコマンドＭＡＣ  ＣＥにおいて、上記タイムアドバンスコマンドに対して、６ビットが用いられ、上記ビットＡは、上記１−ビット情報のビットであり、上記ビットＲは、上記予約されたビットである。
【００９４】
【数４２】
0005955967.tif 000048
【００９５】
ＲＲＣシグナリングが、上記ＣＳＩ−ＲＳ−Ｃｏｎｆｉｇ−１が基本ＣＳＩ−ＲＳ構成であることを識別するために、１−ビットフラグ（flag）、即ち、ｐｒｉｍａｒｙＦｌａｇフィールドは、上記ＣＳＩ−ＲＳ構成が上記基本ＣＳＩ−ＲＳ構成であるか否かの可否を指示するように、各ＣＳＩ−ＲＳ構成に導入されてもよい。例えば、上記ｐｒｉｍａｒｙＦｌａｇ＝１の場合、上記関連のＣＳＩ−ＲＳ構成は、上記基本ＣＳＩ−ＲＳ構成であってもよく、これに反して、ｐｒｉｍａｒｙＦｌａｇ＝０の場合、上記関連のＣＳＩ−ＲＳ構成は、上記基本ＣＳＩ−ＲＳ構成ではない。以下に示したように、表６は、２個のＣＳＩ−ＲＳ構成、即ち、ＣＳＩ−ＲＳ−Ｃｏｎｆｉｇ−１及びＣＳＩ−ＲＳ−Ｃｏｎｆｉｇ−２から構成されるＲＲＣシグナリングメッセージの例を表す。表６において、上記ＣＳＩ−ＲＳ−Ｃｏｎｆｉｇ−１（表６で、csi-RS1として表記）はｐｒｉｍａｒｙＦｌａｇ＝１と設定して、基本ＣＳＩ−ＲＳ構成となるようにフラグされる。
【００９６】
【表６】
0005955967.tif 000049
【００９７】
他の好適な実施形態により、単一ＲＲＣシグナリングメッセージは、２個のＣＳＩ−ＲＳ構成、即ち、表７に示したような、ＣＳＩ−ＲＳ−Ｃｏｎｆｉｇ−１及びＣＳＩ−ＲＳ−Ｃｏｎｆｉｇ−２を含む。このような場合において、上記単一ＲＲＣシグナリングメッセージが、２個のＣＳＩ−ＲＳ構成を含む場合に、上記シグナリングメッセージは、ＵＥ４０５へ送信され、上記ＵＥ４０５は、
【数４３】
0005955967.tif 000050
を決定するために、上記ＲＲＣシグナリングメッセージに含まれている第１のＣＳＩ−ＲＳ構成、即ち、ＣＳＩ−ＲＳ−Ｃｏｎｆｉｇ−１を用いる。
【００９８】
【表７】
0005955967.tif 000051
【００９９】
【数４４】
0005955967.tif 000052
【０１００】
【数４５】
0005955967.tif 000053
【０１０１】
【数４６】
0005955967.tif 000054
【０１０２】
図６は、本発明の多様な実施形態による遠隔無線ヘッド（Remote Radio Head: ＲＲＨ)を含む無線通信システムについての経路損失（Path Loss: ＰＬ）推定値を示す図面である。
【０１０３】
図６を参照すると、ネットワークの干渉の減少だけではなく、連続的な連結性とＵＥのバッテリーの節約との間のバランスを成し遂げるために、分散されたＲＲＨを有するネットワークについてのアップリンク電力制御方法は、幾つかの特徴を含むことができる。例えば、レガシーＵＥ、即ち、Ｒｅｌ−１０ＵＥまでのＵＥとのＭＵ−ＭＩＭＯ−多重化された送信（ＭＵ−ＭＩＭＯ−multiplexed transmission）のようなＴＰ−共通送信の場合において、ＵＥは、上記ＵＥと上記ＴＰとの間のより大きなＰＬを補償するために、比較的高い送信電力で送信してもよい。一方、ＴＰ固有の送信の場合、上記アップリンク送信電力は、比較的低い値で設定されてもよく、従って、上記ＵＥは、近所のＲＲＨと通信することにより、バッテリー電力を節約することができる。ネットワーク干渉の減少だけではなく、連続的な連結性とＵＥバッテリーの節約との間のバランスを成し遂げるために、経路損失（ＰＬ）推定値は、ＣＳＩ−ＲＳ基盤のＰＬ推定値及び各ＴＰで設定した基底電力を含むことができる。また、ＵＬ電力制御の数式は、上記ＣＳＩ−ＲＳ基盤のＰＬ推定値を含むことができる。また、共通ＲＳ（Common RS: ＣＲＳ）基盤のＰＬ推定値及びＣＳＩ−ＲＳ基盤のＰＬ推定値間にいつ及び／又はどのようにスイッチするかが決定されることができる。
【０１０４】
また、上記ＰＬの過大評価は防止されなければならない。したがって、ｋ番目のＴＰについて、追加のＰＬ推定値は、Ｅ＿ＰＬ（ｋ）と表す、上記関連のＣＳＩ−ＲＳを用いて獲得できる。また、上記ｋ番目のＴＰについて、上記関連のＣＳＩ−ＲＳの基底送信電力は、該ＣＳＩ−ＲＳの基底送信電力のメッセージのようなブロードキャスト（broadcast）メッセージに含まれてもよい。上記Ｅ＿ＰＬ（ｋ）の値は、上記ＵＥから隣接のＴＰ各々に、上記ＰＬの正確な推定値を許すために、Ｅ＿ＰＬ（ｋ）＝上記ｋ番目のＴＰのＣＳＩ−ＲＳの基底送信電力となるように導き出すことができ、ここで、ＲＳ受信された電力（RS Received Power: ＲＳＲＰ）は、上記ｋ番目のＴＰのＣＳＩ−ＲＳに基づいてもよい（Ｅ−ＲＳＲＰ（ｋ））。
【０１０５】
ＣＳＩ−ＲＳに基づいたＲＳＲＰは、以下のように定義することができる。上記ＲＳＲＰは、測定される周波数帯域幅内の上記ＣＳＩ−ＲＳを伝達するリソース要素の上記電力寄与（ワットで）を通じて線形平均（linear average）として定義されることができる。したがって、ＲＳＲＰを決定するために用いられる上記ＣＳＩ−ＲＳは、以下のもの中、一つであってもよい：上記ＣＳＩ−ＲＳ  Ｒ１５；ｋ番目のＴＰの上記ＣＳＩ−ＲＳ構成によって構成される上記ＣＳＩ−ＲＳの全て；及びＲＲＣにより明白に（explicitly）シグナルされるＲＳＲＰの決定のために用いられる上記ＣＳＩ−ＲＳポート番号。
【０１０６】
ＴＰ−共通送信及びＴＰ固有送信のためのアップリンク電力制御（Power Control: ＰＣ）の数式は互いに異なってもよい。ＣＲＳ基盤の送信とも呼ばれてもよいＴＰ−共通送信の場合、ＵＥは上記Ｒｅｌ−１０の数式及びＣＲＳ基盤のＰＬ推定値を再使用してもよい。ＴＰ−共通送信の場合、上記ＰＵＳＣＨ送信電力は、下記の数式１７によって算出される。
【０１０７】
【数４７】
0005955967.tif 000055
【０１０８】
【数４８】
0005955967.tif 000056
【０１０９】
【数４９】
0005955967.tif 000057
【０１１０】
これと別に、上記ＰＵＳＣＨ送信電力は、下記の数式１９によって決定されてもよい。
【０１１１】
【数５０】
0005955967.tif 000058
【０１１２】
【数５１】
0005955967.tif 000059
【０１１３】
【数５２】
0005955967.tif 000060
【０１１４】
【数５３】
0005955967.tif 000061
【０１１５】
これと別に、上記ＰＵＳＣＨ送信電力は、下記の数式２１によって決定されてもよい。
【０１１６】
【数５４】
0005955967.tif 000062
【０１１７】
しかし、上記で説明したように、ＵＥは一つ以上のＵＥ固有のＵＬ  ＰＣ値を用いて構成されてもよい。例えば、ＵＥが２個の特定ＵＬ  ＰＣ値を有する場合に、第１のＵＬ  ＰＣ値は、第１のＰＬオフセットによって決定されてもよく、第２のＵＬ  ＰＣ値は、第２のＰＬオフセットによって決定されてもよい。
【０１１８】
数式２０及び数式２１に関し、ＰＬＣ、Ｅは、Ｅ＿ＰＬ（１）、Ｅ＿ＰＬ（２）、…Ｅ＿ＰＬ（ＮＵＬ）の関数として導き出され、ここで、ＮＵＬは、ＵＬ  ＣｏＭＰ受信で分割され得るＴＰ又はＲＰの個数である。ＵＬ  ＣｏＭＰ測定値の集合｛１、…、ＮＵＬ｝と呼ばれてもよいＵＬ  ＣｏＭＰ受信についてのＴＰの集合を構成するための幾つかの方法がある。例えば、第１の方法は、上記ＤＬ  ＣｏＭＰ測定値の集合によって上記ＵＬ  ＣｏＭＰについてのＴＰ又はＣＳＩ−ＲＳ構成の集合を構成してもよく、ここで、ＤＬ  ＣｏＭＰ測定値の集合は、上記ＵＥがＣＳＩを報告するために構成されるＴＰの集合である。より詳しくは、第１の場合には、上記ＵＬ  ＣｏＭＰについてのＴＰの集合は、上記ＤＬ  ＣｏＭＰ測定値の集合と同一であってもよい。また、他の場合には、上記ＵＬ  ＣｏＭＰについてのＴＰの集合は、上記ＤＬ  ＣｏＭＰ測定値の集合のサブ集合であってもよく、上記サブ集合はＲＲＣ動作により構成される。
【０１１９】
これと別に、第２の方法は、ＲＲＣ動作に応じて、ＵＬ  ＣｏＭＰについてのＴＰ又はＣＳＩ−ＲＳ構成の集合を構成してもよい。また、第３の方法は、無線リソース管理（Radio Resource Management: ＲＲＭ）の測定値の集合によって、ＵＬ  ＣｏＭＰについての上記ＴＰ又はＣＳＩ−ＲＳ構成の集合を構成してもよい。上記ＲＲＭ測定値の集合は、上記ＵＥが上記ＲＳＲＰを報告するＴＰの集合であり、ここで、上記ＲＳＲＰは、上記ＣＳＩ−ＲＳによって測定されてもよい。好ましい場合に、上記ＵＬ  ＣｏＭＰについてのＴＰの集合は、上記ＲＲＭ測定値の集合と同一であってもよい。また、ＵＥのＵＬ  ＣｏＭＰ測定値の集合は、単一ＴＰから構成され、ＰＬＣ，Ｅ＝Ｅ＿ＰＬであり、上記単一ＴＰについての単一ＣＳＩ−ＲＳ構成によって上記ＣＳＩ−ＲＳを用いて推定される。
【０１２０】
一方、ＵＥのＵＬ  ＣｏＭＰ測定値の集合が、ＮＵＬ個の複数のＴＰから構成されるとき、ＰＬＣ，Ｅは、以下に説明するように、Ｅ＿ＰＬ（１）、Ｅ＿ＰＬ（２）、…、Ｅ＿ＰＬ（ＮＵＬ）から導き出されてもよい。上記ＰＬＣ，Ｅは、上記最小の経路損失推定値を生成するように、全てのＥ−ＰＬ（ｋ）中の最小値として導き出されてもよい。ここで、ｋ＝１、…、ＮＵＬである。これと別に、ＰＬＣ，Ｅは全てのＥ−ＰＬ（ｋ）を通じて線形平均から導き出されてもよく、ｋ＝１、…、ＮＵＬである。また、ＰＬＣ，Ｅは、中央ＴＰ又は好ましいＴＰと呼ばれてもよい基本ＴＰである、Ｅ−ＰＬ（０）から導き出されてもよい。また、他の代替方式として、ＰＬＣ，ＥはＥ−ＰＬ（ｋ）から導き出されてもよく、ｋは上記ＲＲＣ階層のような上位階層により構成される。また他の代替方式として、ＰＬＣ，Ｅは上述の代替方式の組み合わせから導き出されてもよい。
【０１２１】
【数５５】
0005955967.tif 000063
【０１２２】
【数５６】
0005955967.tif 000064
【０１２３】
ここで、ＰＵＣＣＨについて、またＳＲＳについて、同時にＰＵＣＣＨを有するＰＵＳＣＨについての上記ＵＬ  ＰＣの数式に類似の向上が適用されてもよく、また、電力ヘッドルーム（power headroom）の数式にも適用されてもよい。例えば、上記ＬＴＥＲｅｌ−１０規格において、上記ＳＲＳ電力制御は、下記の数式２３によって決定されてもよい。
【０１２４】
【数５７】
0005955967.tif 000065
【０１２５】
【数５８】
0005955967.tif 000066
【０１２６】
【数５９】
0005955967.tif 000067
【０１２７】
また、セル固有のＵＬ  ＰＣと呼ばれてもよいＴＰ−共通ＵＬ  ＰＣと、ＴＰ固有のＵＬ  ＰＣ間をスイッチするために、及び/又は、セル固有のＵＬ  ＲＳ及びＵＥ固有のＵＬ  ＲＳとさらに呼ばれてもよいＴＰ固有のＵＬ  ＲＳ間をスイッチするために、ベースシーケンス生成方法は、図４の上記マクロ−ｅＮＢ４００のような上記マクロ−ｅＮＢにより指示されてもよい。上記多様なＵＬ  ＰＣ及びＵＬ  ＲＳ間のスイッチングは、以下に説明するように、本発明の好適な実施形態による情報要素（Information Element: ＩＥ）における状態（state）によって達成されることができる。好適な実施形態により、ＵＬ  ＲＳベースシーケンスＩＥと呼ばれるＮ−ビットＩＥは、ＰＵＳＣＨ  ＤＭＲＳ、ＳＲＳ及びＰＵＣＣＨの送信のための方法を含む２Ｎ個の候補方法から特定のＵＬ  ＲＳベースシーケンス生成方法を指示するために、ＵＥにシグナルされる。
【０１２８】
Ｎ＝１であり、そして上記Ｎ−ビットＩＥが１−ビットＩＥである場合、上記ＩＥは２個の候補方法にそれぞれ相応する２個の状態のうちの一つを指示するために用いられてもよい。例えば、状態０は、セル固有又はＴＰ共通のＵＬ  ＲＳ生成方法ともなり得るＲｅｌ−１０互換可能のＵＬ  ＲＳ生成方法に相応してもよく、状態１はＴＰ固有のＵＬ  ＲＳベースシーケンス生成方法に相応してもよい。Ｎ＝１の他の場合において、状態０は、依然としてＲｅｌ−１０互換可能のＵＬ  ＲＳ生成方法に相応してもよいが、状態１はＵＥ固有のＵＬ  ＲＳベースシーケンス生成方法に相応してもよい。また他の場合において、状態０は第１のＵＥ固有又はＴＰ固有のＵＬ  ＲＳに相応することができ、状態１は第２のＵＥ固有又はＴＰ固有のＵＬ  ＲＳに相応することができ、ここで、上記第１のＴＰ固有のＵＬ  ＲＳは、第１のＶＣＩＤによって生成される反面、上記第２のＴＰ固有のＵＬ  ＲＳは、第２のＶＣＩＤによって生成される。
【０１２９】
ＤＣＩフォーマットにおいて、上記１−ビットＩＥに上記２個の状態を含んでいる場合、上記ネットワーク、又はマクロ−ｅＮＢは、上記Ｒｅｌ−１１ＵＥのようなアドバンストＵＥに対する送信を柔軟にスケジュールしてもよい。特に、上記マクロ−ｅＮＢは、アドバンストＵＥのＭＵ−ＭＩＭＯペアリングを動的に変更することができ、したがって、上記マクロ−ｅＮＢは、ＵＥの第１グループからのＵＥ又はＵＥの第２グループからのＵＥとペアリングを行う。また、上記マクロ−ｅＮＢは、アドバンストＵＥに対する単一ユーザ（Single User: ＳＵ）−ＭＩＭＯ及びＭＵ−ＭＩＭＯ間の送信方式を動的に変更することができる。また、上記マクロ−ｅＮＢは、アドバンストＵＥに対する単一ＴＰ動作及びＣｏＭＰスケジューリング間の送信方式を動的に変更することができる。
【０１３０】
【数６０】
0005955967.tif 000068
【０１３１】
図７は、本発明の多様な実施形態によるタイミングアドバンス（Timing Advance: ＴＡ）についてのＭＡＣ  ＣＥを示している図面である。
【０１３２】
図７を参照すると、ＵＥにＵＬ  ＰＣ方法を指示するためのＮ−ビットＩＥは、２Ｎ個の候補タイムアドバンス方法のうちの一つのＵＬ  ＴＡ方法を指示するために、ＵＥにシグナルされ得るＵＬ  ＴＡ  ＩＥであってもよい。例えば、Ｎ＝１の場合、２個の候補方法が存在する。上記２個の候補ＴＡは、図７に示されているように、別途のＭＡＣ制御要素により独立的に構成されてもよい。特に、図７のＴＡについての上記ＭＡＣ  ＣＥにおいて、Ａは相応するＴＡを指示する１−ビットの情報であり、Ｒは予約されたビットである。例えば、Ａ＝０の場合、上記ＭＡＣ  ＣＥは、第１のＴＡを構成し、Ａ＝１の場合、上記ＭＡＣ  ＣＥは、第２のＴＡを構成する。上記ＵＬ  ＴＡ  ＩＥについて、状態０は、Ｒｅｌ−１０ＵＥと互換可能なＴＰ−共通ＵＬ  ＴＡに相応してもよく、上記ＵＬ  ＴＡ  ＩＥの状態１は、ＴＰ固有のＵＬ  ＴＡに相応してもよい。
【０１３３】
【数６１】
0005955967.tif 000069
【０１３４】
【数６２】
0005955967.tif 000070
【０１３５】
【数６３】
0005955967.tif 000071
【０１３６】
上述のような、即ち、上記ＵＬ  ＴＸ  Ｃｏｎｆｉｇ  ＩＥと、上記ＵＬ  ＲＳベースシーケンスＩＥと、上記ＵＬ  ＴＡ  ＩＥと、上記ＵＬ  ＰＣ  ＩＥである、追加のＩＥと呼ばれてもよい、上記ＩＥを送信するために、幾つかの異なる運送（transportation）方法が用いられてもよい。例えば、上記追加のＩＥは、無線通信システムにおいて、ＲＲＣ階層で送信されてもよい。これと別に、新しいＵＬグラントＤＣＩフォーマットは、上記追加のＩＥを含ませるために、既存のＵＬグラントＤＣＩフォーマット（例えば、ＤＣＩフォーマット０／０Ａ／４）を拡張することにより構成できる。例えば、上記新しいＵＬグラントＤＣＩフォーマットは、上記追加のＩＥに対する既存のＤＣＩフォーマットに、Ｎ＝１ビットフィールドを加えることにより構成されてもよく、ここで、上記新しい１ビットフィールド値が０である場合、上記追加のＩＥ＝０であり、上記新しい１ビットフィールド値が１である場合、追加のＩＥ＝１である。
【０１３７】
他の好適な実施形態により、上記追加のＩＥは、既存の準永続のスケジューリング（Semi-Persistent Scheduling: ＳＰＳ）活性化ＤＣＩフォーマットを、上記追加のＩＥを含むように修正することにより作成できる新しいＳＰＳ活性化ＤＣＩフォーマットを通じて送信されてもよい。ＳＰＳ活性化が、上記追加のＩＥと共に受信される場合、上記ＵＥは上記追加のＩＥの値に応じて、上記ＳＰＳ活性化により構成される上記ＰＵＳＣＨを全て送信する。例えば、上記新しいＳＰＳグラントＤＣＩフォーマットは、上記追加のＩＥに対する既存のＤＣＩフォーマットであるＳＰＣ活性化ＰＤＣＣＨ認証（validation）条件を再び定義することにより作成してもよい。より具体的に、ＳＰＳ活性化ＰＤＣＣＨは、上記ＳＰＳ活性化を認証するために、追加の状態を有してもよい１個のフィールドを除いて、上記全てのフィールドがレガシーＳＰＳ活性化条件を満たす場合、認証されることができる。スケジュールされたＰＵＳＣＨに対するＴＰＣコマンドのような上記ＳＰＳ活性化ＰＤＣＣＨを認証するデュアル状態を有する上記１個のフィールドは、下記の表８に示されているように、上記新しいＩＥ値を指示してもよい。
【０１３８】
【表８】
0005955967.tif 000072
【０１３９】
他の好適な実施形態により、上記追加のＩＥは、ＵＬ／ＤＬグラントが送信される上記制御チャンネル位置又はタイプにより指示されてもよい。例えば、上記ＵＬグラントが、上記レガシーＰＤＣＣＨ上に送信される場合、上記追加のＩＥ＝０であり、上記ＵＬグラントが、上記Ｅ−ＰＤＣＣＨ上に送信される場合、上記追加のＩＥ＝１である。これと別に、上記ＵＬグラントが、１個のＤＣＩフォーマットである場合、上記追加のＩＥ＝０であり、上記ＵＬグラントが他のＤＣＩフォーマットである場合、上記追加のＩＥ＝１である。他の場合において、ＰＵＣＣＨ  ＨＡＲＱ−ＡＣＫが、上記レガシーＰＤＣＣＨ上に送信されるＤＬグラントのためのものである場合、上記追加のＩＥ＝０であり、ＰＵＣＣＨ  ＨＡＲＱ−ＡＣＫが、上記Ｅ−ＰＤＣＣＨ上に送信されるＤＬグラントのためのものである場合、上記新しいＩＥ＝１である。また、他の場合において、ＰＵＣＣＨ  ＨＡＲＱ−ＡＣＫが、そのＵＥ−ＲＳがＲｅｌ−１０互換可能のセル固有のＵＥ−ＲＳスクランブリングを用いてスクランブルされたＰＤＳＣＨのためのものである場合、上記追加のＩＥ＝０であり、ＰＵＣＣＨ  ＨＡＲＱ−ＡＣＫが、そのＵＥ−ＲＳがＴＰ固有（又はＵＥ固有）ＵＥ−ＲＳスクランブリングを用いてスクランブルされたＰＤＳＣＨのためのものである場合、上記新しいＩＥ＝１である。上記のような場合において、上記ＰＤＳＣＨスクランブリング方法は、上記ＤＬグラントフォーマットで１ビットにより明白に指示されてもよい。また、上記ランダムアクセス応答グラントが、上記レガシーＰＤＣＣＨを用いて送信された場合、上記ランダムアクセス応答グラントＵＬ送信（メッセージ３）については、上記追加のＩＥ＝０であり、上記ランダムアクセス応答グラントが、上記Ｅ−ＰＤＣＣＨを用いて送信された場合、上記ランダムアクセス応答グラントＵＬ送信（メッセージ３）について、上記新しいＩＥ＝１である。また、他の場合において、ランダムアクセスの手続きを開始する上記相応するＰＤＣＣＨ順序（order）が、上記レガシーＰＤＣＣＨを用いて送信された場合、上記ランダムアクセス応答グラントＵＬ送信（メッセージ３）については、上記追加のＩＥ＝０であり、ランダムアクセスの手続きを開始する上記相応するＰＤＣＣＨ順序が、上記Ｅ−ＰＤＣＣＨを用いて送信された場合、上記ランダムアクセス応答グラントＵＬ送信（メッセージ３）については、上記新しいＩＥ＝１である。
【０１４０】
他の好適な実施形態により、上記追加のＩＥは、上記ＤＣＩフォーマット１Ａの予約されたビットのうちの一つを、上記ランダムアクセス応答グラント送信についての上記ＵＬ送信方法を決定する上記追加のＩＥとして再使用することにより、構成されるランダムアクセスの手続きを開始するために、ＰＤＣＣＨとして用いられる新しいＤＣＩフォーマット１Ａにより指示されてもよい。また他の好適な実施形態により、上記追加のＩＥは、上記ランダムアクセス応答グラントについての上記ＵＬ送信方法を決定する上記新しく導入されたＩＥを含ませるために、ＤＣＩフォーマット１Ｃ／１Ａのような、既存のＤＣＩフォーマットを拡張することにより構成されるランダムアクセス応答について用いられる他の新しいＤＣＩフォーマットにより指示されてもよい。
【０１４１】
さらに、他の好適な実施形態により、上記追加のＩＥは、ＭＡＣ制御要素のシグナリングにより、明白に識別されることができる。本発明の好適な実施形態において、第１の場合、ＭＡＣ  ＣＥは、シグナリングのために用いられてもよく、上記ＭＡＣ  ＣＥのビットＡは、上記新しく導入されたＩＥの状態であり、ビットＲは、予約されたビットである。他の場合において、シグナリングビットは、上記ターゲットＴＰに対するＴＡコマンドＭＡＣ  ＣＥのような他のＭＡＣ  ＣＥに含まれてもよい。上記のような場合において、上記ＭＡＣ  ＣＥの６ビットは、ＴＡコマンドについて用いられてもよく、上記ＭＡＣ  ＣＥのビットＡは、上記追加のＩＥの値であり、ビットＲは、予約されたビットであり、ここで、ＡはＵＬ  ＲＳベースシーケンス及びＵＬ  ＰＣを生成するための方法を決定し、上記ＴＡコマンドは、どのように上記ＵＥがその後のＵＬ送信についてのＴＡを実行させるべきかを決定する。
【０１４２】
本発明の好適な実施形態により、上記ＵＬ  ＴＸ  Ｃｏｎｆｉｇ  ＩＥと、上記ＵＬ  ＲＳベースシーケンスＩＥと、上記ＵＬ  ＴＡ  ＩＥと、上記ＵＬ  ＰＣ  ＩＥのような上記追加のＩＥを指示するために、ＳＲＳ送信についての幾つかの方法は、以下のようである。第１の方法により、ＳＲＳについて、上記追加のＩＥの値は、上記ＳＲＳタイプによって指示されてもよい。例えば、上記ＳＲＳが周期的ＳＲＳである場合、上記追加のＩＥ＝０であり、上記ＳＲＳが非周期的ＳＲＳである場合、上記追加のＩＥ＝１である。上記のような場合において、送信が主に地域的である場合、地域的ＴＰをターゲットとする周期的ＳＲＳ送信が用いられることができ、したがって、上記ネットワークは、ＣｏＭＰ集合の決定だけのために、高電力を用いて上記ＳＲＳを送信するＵＥのみを用いることができる。他の場合において、上記ＳＲＳが非周期的ＳＲＳである場合、上記追加のＩＥ＝０であり、上記ＳＲＳが周期的ＳＲＳである場合、上記新しいＩＥ＝１である。上記のような場合において、周期的ＳＲＳが、周期的方式で多数のサブフレームで送信されるため、上記マクロ−ｅＮＢは、Ｒｅｌ−１１及びレガシーＵＥの両方から周期的ＳＲＳ送信を多重化することを考慮してもよい。周期的ＳＲＳ送信について、Ｒｅｌ−１１及びレガシーＵＥの上記多重化を考慮する場合、Ｒｅｌ−１１ＵＥにレガシーＰＣの数式を適用することにより、干渉が減少できる。これと別に、非周期的ＳＲＳは、動的にトリガー（trigger）されることができ、これにより、上記マクロ−ｅＮＢは、ＳＲＳ帯域幅で本発明の好適な実施形態の上記ＰＣ数式を用いているＲｅｌ−１１ＵＥのみを柔軟に多重化することができる。
【０１４３】
ＳＲＳ送信についての上記追加のＩＥを指示する他の方法によると、ＳＲＳの各タイプについて、上記新しいＩＥは、ＲＲＣで独立的に構成される。即ち、周期的ＳＲＳについて、上記新しいＩＥは、第１の値を用いて構成され、また非周期的ＳＲＳについて、上記新しいＩＥは、第２の値を用いて構成される。他の方法によると、多数の周期的ＳＲＳは、各周期的ＳＲＳ別に、上記ＲＲＣ階層で、上記追加のＩＥが構成される同一のコンポーネントキャリア（component carrier）に対して構成されてもよい。例えば、ＵＥが２個の周期的ＳＲＳを用いて構成される場合、第１の値は第１の周期的ＳＲＳの上記追加のＩＥについて構成され、第２の値は第２の周期的ＳＲＳの上記追加のＩＥについて構成される。ＳＲＳ送信に対する上記追加のＩＥを指示するまた他の方法によると、非周期的ＳＲＳについて、上記追加のＩＥの値は、ＳＲＳトリガーリングビット及び上記非周期的ＳＲＳをトリガーする上記ＤＣＩフォーマットの値により共通で指示されてもよい。例えば、Ｒｅｌ−１０ＵＥについて、５個のパラメータ集合は、非周期的ＳＲＳ送信について定義されてもよく、１個のパラメータ集合は、上記ＳＲＳトリガーリングビット及び上記非周期的ＳＲＳをトリガーするＤＣＩフォーマットの値により指示される上記ＳＲＳを生成するために用いられてもよい。上記で説明したような本発明の多様な実施形態により、上記追加のＩＥは、Ｒｅｌ−１１ＵＥについての各パラメータの集合各々に含まれてもよい。
【０１４４】
以下、非周期的ＳＲＳについての電力制御及びベースシーケンスを説明する。Ｒｅｌ−９及びＲｅｌ−１０のような上記レガシーＬＴＥ規格において、上記ＳＲＳ電力制御の数式は、下記の数式２５により表す。
【０１４５】
【数６４】
0005955967.tif 000073
【０１４６】
本発明の好適な実施形態により、ＵＬ  ＣｏＭＰ動作だけではなく、時分割復信（Time Division Duplex: ＴＤＤ）ＤＬ  ＣｏＭＰ  ＣＳＩの推定を可能とするために、数式２５は修正されてもよく、したがって、上記
【数６５】
0005955967.tif 000074
はＵＥ固有であるように、上記ＲＲＣ階層により導入及び構成されてもよく、これに反し、数式２５の他のパラメータは、上述のようなパラメータと同様であってもよい。したがって、数式２５は、本発明の好適な実施形態により、下記の数式２６に示されたような方式で修正されてもよい。
【０１４７】
【数６６】
0005955967.tif 000075
【０１４８】
【数６７】
0005955967.tif 000076
【０１４９】
本発明の好適な実施形態により、Ｒｅｌ−１１ＵＥのような上記アドバンストＵＥは、非周期的ＳＲＳがトリガーされる場合、どのような
【数６８】
0005955967.tif 000077
と、どのようなＳＲＳベースシーケンスが用いられるかを通知されることができる。したがって、上記非周期的ＳＲＳについての上記ｍの値と、ベースシーケンス生成方法は、上記ＳＲＳトリガーリングビット及び上記トリガーリングＤＣＩフォーマットタイプにより指示される。
【０１５０】
レガシーＬＴＥ規格に従って、非周期的ＳＲＳ生成についてのパラメータは、以下により指示されることができる。トリガータイプ１及びＤＣＩフォーマット４の場合、上位階層のシグナリングにより構成できるＳＲＳパラメータの三つの集合、ｓｒｓ−ＣｏｎｆｉｇＡｐＤＣＩ−Ｆｏｒｍａｔ４が存在する。また、ＤＣＩフォーマット４で用いられる２−ビットＳＲＳ要求フィールドは、下記の表９に示されているような上記ＳＲＳパラメータ集合を指示する。上記トリガータイプ１及び上記ＤＣＩフォーマット０について、ＳＲＳパラメータの単一集合ｓｒｓ−ＣｏｎｆｉｇＡｐＤＣＩ−Ｆｏｒｍａｔ０が、上位階層のシグナリングにより構成されることができる。上記トリガータイプ１及び上記ＤＣＩフォーマット１Ａ／２Ｂ／２Ｃの場合において、ＳＲＳパラメータの単一共通集合ｓｒｓ−ＣｏｎｆｉｇＡｐＤＣＩ−Ｆｏｒｍａｔ１ａ２ｂ２ｃは、上位階層のシグナリングにより構成されてもよい。上記のような場合において、上記ＳＲＳ要求フィールドは、ＤＣＩフォーマット０／１Ａ／２Ｂ／２Ｃについての１ビットフィールドであり、タイプ１ＳＲＳは、上記ＳＲＳ要求フィールドの値が１と設定されている場合、トリガーされることができる。また、上記ＵＥが上位階層のシグナリングにより、ＤＣＩフォーマット０／１Ａ／２Ｂ／２Ｃについて、ＳＲＳパラメータを用いて構成される場合、１−ビットＳＲＳ要求フィールドは、フレーム構造タイプ１に対しては、ＤＣＩフォーマット０／１Ａに含まれてもよく、フレーム構造タイプ２に対しては、ＤＣＩフォーマット０／１Ａ／２Ｂ／２Ｃに含まれてもよい。
【０１５１】
【表９】
0005955967.tif 000078
【０１５２】
上記のような好適な実施形態によると、上記５個の構成パラメータ集合、ｓｒｓ−ＣｏｎｆｉｇＡｐＤＣＩ−Ｆｏｒｍａｔ０、ｓｒｓ−ＣｏｎｆｉｇＡｐＤＣＩ−Ｆｏｒｍａｔ１ａ２ｂ２ｃ及びｓｒｓ−ＣｏｎｆｉｇＡｐＤＣＩ−Ｆｏｒｍａｔ４の三つの集合はそれぞれ、現在追加に上記ＳＲＳベースシーケンス及び上記ｍの値を共通に指示する上記追加のＩＥについてのフィールドを含んでもよい。
【０１５３】
上記レガシーＬＴＥ規格に従い、ＳｏｕｎｄｉｎｇＲＳ−ＵＬ−ＣｏｎｆｉｇＤｅｄｉｃａｔｅｄＡｐｅｒｉｏｄｉｃ−ｒ１０  ＩＥ及びＳＲＳ−ＣｏｎｆｉｇＡｐ−ｒ１０  ＩＥであるレガシー非周期的ＳＲＳに対するＩＥは、下記の表１０に表す。
【０１５４】
【表１０】
0005955967.tif 000079
【０１５５】
本発明の好適な実施形態により、トリガー非周期的ＳＲＳについて、表１０に示したような上記ＲＲＣ  ＩＥは、表１１に示したように、修正されてもよい。表１０に示されているように、パラメータｓｒｓ−ｖｉｒｔｕａｌＣｅｌｌＩＤ−ｒ１１は、ＳＲＳシーケンスの生成に用いられる仮想セルＩＤを指し、パラメータｓｒｓ−ｐＯｆｆｓｅｔＩｎｄｅｘ−ｒ１１は、ＳＲＳ電力オフセットインデックス（power offset index）、即ち、ｍを指す。
【０１５６】
【表１１】
0005955967.tif 000080
【０１５７】
本発明のまた他の好適な実施形態により、また、表１１の好ましい実施形態とは対照的に、上記非周期的ＳＲＳ（ｍ＝１）についての電力オフセット値は、上記ｍ値の代わりに、上記５個のパラメータ集合各々に対して、ＵＥ固有になるように、上記ＲＲＣ階層により構成されてもよい。上記のような場合において、ｐＳＲＳ−ＯｆｆｓｅｔＡｐ−ｒ１１は、ｓｒｓ−ｐＯｆｆｓｅｔＩｎｄｅｘ−ｒ１１の代わりに、ＳＲＳ−ＣｏｎｆｉｇＡｐ−ｒ１１に含まれ、ｐＳＲＳ−ＯｆｆｓｅｔＡｐ−ｒ１１は、整数(０…１５)の値フォーマットを有する。したがって、上記非周期的ＳＲＳについて、ＳＲＳ電力オフセットの値
【数６９】
0005955967.tif 000081
及びベースシーケンス生成方法、又はＶＣＩＤは、上記ＳＲＳトリガーリングビット及び上記トリガーリングＤＣＩフォーマットにより指示される。
【０１５８】
また他の好適な実施形態により、上記非周期的ＳＲＳについて用いられる仮想セルＩＤのインデックスは、上記で説明されたように、上記ＶＣＩＤそのものの代わりに、上記５個のパラメータ集合各々に対して、ＵＥ固有になるように、上記ＲＲＣ階層により構成されてもよい。上記のような場合において、マクロ−ｅＮＢは、ＶＣＩＤ（ｉＶＣＩＤ）、ｉＶＣＩＤ＝１，２のような、ＳＲＳについて使用できる２個のＶＣＩＤを構成してもよい。したがって、ＳＲＳ−ＣｏｎｆｉｇＡｐ−ｒ１１は、ｓｒｓ−ｖｉｒｔｕａｌＣｅｌｌＩＤ−ｒ１１の代わりに、フィールドｓｒｓ−ｖｉｒｔｕａｌＣｅｌｌＩＤＩｎｄｅｘ−ｒ１１を含み、ｓｒｓ−ｖｉｒｔｕａｌＣｅｌｌＩＤＩｎｄｅｘ−ｒ１１は、整数(１…２)の値フォーマットを有する。したがって、上記非周期的ＳＲＳについて、及びＳＲＳ電力オフセットパラメータについて、ベースシーケンス生成方法、又は仮想セルＩＤは、上記ＳＲＳトリガーリングビット及び上記トリガーリングＤＣＩフォーマットにより指示される。ＳＲＳについての上記２個のＶＣＩＤは、ＰＵＣＣＨに対して構成された物理セルＩＤ及びＶＣＩＤであってもよく、これと別に、ＳＲＳについての上記２個のＶＣＩＤのうちの少なくとも一つは、他のＶＣＩＤとは別個に、明白に構成される。したがって、上記で説明したような好適な実施形態は、無線システムにおいて、アップリンク送信についてのＣｏＭＰ送信及び受信を提供する。
【０１５９】
図８は、一実施形態による少なくとも一つのＢＳを含む無線ネットワークにおけるＵＥの方法を示す図面である。
【０１６０】
図８を参照すると、ＵＥはステップ８０１において、上記少なくとも一つのＢＳからＰＵＳＣＨ電力制御方法及びＰＵＳＣＨ  ＤＭＲＳ生成方法のうちの少なくとも一つを構成するためのＩＥを受信する。次に、ステップ８０２において、上記ＵＥは、上記ＩＥの状態を決定する。その後、上記ＵＥは、ステップ８０３において、上記ＩＥの状態によってＰＵＳＣＨ及び該ＰＵＳＣＨに対するＤＭＲＳを送信する。上述のように、上記ＰＵＳＣＨ送信の送信電力は、上記ＩＥの状態によって制御してもよい。特に、上記ＩＥの状態が第１の状態を指示する場合、上記ＰＵＳＣＨ送信の送信電力は、第１の電力制御の数式に従って決定されてもよい。一方、上記ＩＥの状態が第２の状態を指示する場合、上記ＰＵＳＣＨ送信の送信電力は、第２の電力制御の数式に従って決定されてもよい。その上、上記ＰＵＳＣＨに対するＤＭＲＳのベースシーケンスは、また上記ＩＥの状態によって生成される。
【０１６１】
図９は、一実施形態による少なくとも一つのＵＥを含む無線ネットワークにおけるＢＳの方法を示す図面である。
【０１６２】
図９を参照すると、上記ＢＳは、ステップ９０１において、ＩＥの状態によってＰＵＳＣＨ電力制御方法とＰＵＳＣＨに対するＤＭＲＳ生成方法のうちの少なくとも一つを構成するためのＵＥに対して、上記ＩＥの状態を決定することができる。次に、ステップ９０２において、上記ＢＳは、上記ＵＥに上記ＩＥを送信することができる。その後、ステップ９０３において、上記ＢＳは上記ＵＥから、上記ＩＥの状態によってＰＵＳＣＨ及び上記ＰＵＳＣＨに対するＤＭＲＳを受信してもよい。上記で説明したように、上記受信されたＰＵＳＣＨの送信電力は、上記ＩＥの状態によって決定される。また、上記ＩＥの状態が第１の状態を指示する場合、上記受信されたＰＵＳＣＨの送信電力は、第１の電力制御の数式に従って決定され、上記ＩＥの状態が第２の状態を指示する場合、上記受信されたＰＵＳＣＨの送信電力は、第２の電力制御の数式に従って決定される。したがって、上記受信されたＰＵＳＣＨに対するＤＭＲＳのベースシーケンスは、上記ＩＥの状態によって生成される。
【０１６３】
図１０は、本発明の一実施形態による無線通信システムにおける受信機を示すブロックダイアグラムである。
【０１６４】
図１０を参照すると、上記受信機は、デュプレクサ(duplexer)１０００と、受信機１０１０と、送信機１０２０と、制御機１０３０と、メモリユニット１０４０とを含む。上記受信機は、任意の個数の追加的な構造要素を含んでもよい。しかし、上記受信機の追加的な構造要素の説明は、簡潔性の点から、省略する。上記受信機は、ＵＥと、移動端末と、ＡＭＳなどであってもよい。
【０１６５】
上記デュプレクサ１０００は、アンテナを通じて上記送信機１０２０から提供される送信信号を送信し、デュプレクシング方式に従って、上記アンテナから受信信号を上記受信機１０１０に提供する。
【０１６６】
上記受信機１０１０は、上記受信信号をプロセスし、上記受信信号を基底帯域信号に変換し、上記基底帯域信号を上記制御機１０３０に提供する。例えば、上記無線通信システムが、ＯＦＤＭ方式を用いる場合、上記受信機１０１０は、無線周波数(Radio Frequency: ＲＦ)プロセッサーと、アナログ／デジタル変換機(Analog/Digital Converter: ＡＤＣ)と、直交周波数分割多重化(Orthogonal Frequency Division Multiplexing: ＯＦＤＭ)復調器と、デコーダとを含む。従って、上記ＲＦプロセッサーは、上記デュプレクサ１０００から提供されるＲＦ信号を基底帯域アナログ信号に変換する。上記ＡＤＣは、上記ＲＦプロセッサーから提供される上記アナログ信号をデジタルサンプルデータに変換する。上記ＯＦＤＭ復調器は、高速フーリエ変換(Fast Fourier Transform: ＦＦＴ)を行うことにより、上記ＡＤＣから提供される時間ドメインにおけるサンプルデータを、周波数ドメインにおけるデータに変換する。上記デコーダは、変調及びコーディング方式（Modulation and Coding Scheme: ＭＣＳ）レベルによって上記ＯＦＤＭ復調器から提供される信号を復調及びデコードする。
【０１６７】
上記制御機１０３０は、上記受信機の全体的な動作を制御する。上記受信機の動作は、受信機、移動端末、ＵＥ、又はＡＭＳにより行われる、上記で明示的に(explicitly)又は内包的に（implicitly）説明されたような動作のうちいずれかを含む。
【０１６８】
上記送信機１０２０は、送信信号をＲＦ信号に変換し、上記ＲＦ信号をプロセスし、上記プロセスされたＲＦ信号を上記制御機１０３０の制御下に、上記デュプレクサ１０００に提供する。例えば、上記無線通信システムが、ＯＦＤＭ方式を用いる場合、送信機１０２０は、エンコーダ（encoder）と、ＯＦＤＭ変調器と、デジタル／アナログ変換機（ＤＡＣ）と、ＲＦプロセッサーとを含む。上記エンコーダは、上記制御機１０３０の制御下に、ＭＣＳレベルによって送信信号をエンコード及び変調する。上記ＯＦＤＭ変調器は、逆ＦＦＴ（Inverse FFT: ＩＦＦＴ）を行うことにより、上記エンコーダから提供される上記周波数ドメインのデータを時間ドメインのサンプルデータ(即ち、ＯＦＤＭシンボル)に変換する。上記ＤＡＣは、上記ＯＦＤＭ変調器から提供されるサンプルデータをアナログ信号に変換する。上記ＲＦプロセッサーは、上記ＤＡＣから提供される基底帯域アナログ信号をＲＦ信号に変換する。
【０１６９】
上記メモリユニット１０４０は、上記受信機の全般的な動作のために必要とするプログラム及び受信機と、ＵＥと、移動端末又はＡＭＳにより受信され、送信され、保持され、又は用いられる、上記情報及び／又はここで説明される上記アルゴリズムのうちのいずれか一つを含む多様なデータを記憶する。
【０１７０】
図１１は、本発明の一実施形態による無線通信システムにおける送信機を示すブロックダイアグラムである。
【０１７１】
図１１を参照すると、上記送信機は、デュプレクサ１１００と、受信機１１１０と、送信機１１２０と、制御機１１３０と、メモリユニット１１４０と、ネットワーク送受信機１１５０とを含む。上記送信機は、任意の個数の追加的な構造要素を含んでもよい。しかし、上記送信機の追加的な構造要素の説明は、簡潔性のために省略する。上記送信機は、基地局、ｅＮＢ、ＲＲＨ、マイクロ−ｅＮＢ、ＡＢＳなどであってもよい。
【０１７２】
上記デュプレクサ１１００は、アンテナを通じて上記送信機１１２０から提供される送信信号を送信し、デュプレクシング方式に従って上記アンテナから受信信号を受信機１１１０に提供する。
【０１７３】
上記受信機１１１０は、上記受信信号を受信し、上記受信信号を基底帯域信号に変換し、上記基底帯域信号を上記制御機１１３０に提供する。例えば、上記無線通信システムが、ＯＦＤＭ方式を用いる場合、上記受信機１１１０は、ＲＦプロセッサーと、ＡＤＣと、ＯＦＤＭ復調器と、デコーダとを含む。上記ＲＦプロセッサーは、上記デュプレクサ１１００から提供されるＲＦ信号を基底帯域アナログ信号に変換する。上記ＡＤＣは、上記ＲＦプロセッサーから提供される上記アナログ信号をデジタルサンプルデータに変換する。上記ＯＦＤＭ復調器は、ＦＦＴを行うことにより、上記ＡＤＣから提供される上記時間ドメインにおけるサンプルデータを、上記周波数ドメインにおけるデータに変換する。上記デコーダは、ＭＣＳレベルによって上記ＯＦＤＭ復調器から提供される信号を復調及びデコードする。
【０１７４】
上記制御機１１３０は、上記送信機の全般的な動作を制御する。上記送信機の動作は送信機、基地局、ｅＮＢ、マイクロ−ｅＮＢ、ＲＲＨ、ＡＢＳなどにより行われる、上記で明示的に又は内包的に説明されたような動作のうちのいずれかを含む。
【０１７５】
上記送信機１１２０は、送信信号をＲＦ信号に変換し、上記ＲＦ信号をプロセスし、上記プロセスされたＲＦ信号を、上記制御機１１３０の制御下に、上記デュプレクサ１１００に提供する。例えば、上記無線通信システムがＯＦＤＭ方式を用いる場合、上記送信機１１２０は、エンコーダと、ＯＦＤＭ変調器と、デジタル／アナログ変換機（ＤＡＣ）と、ＲＦプロセッサーとを含む。上記エンコーダは、上記制御機１１３０の制御下に、ＭＣＳレベルによって送信信号をエンコード及び変調する。上記ＯＦＤＭ変調器は、ＩＦＦＴを行うことにより、上記エンコーダから提供される上記周波数ドメインのデータを上記時間ドメインのサンプルデータ(即ち、ＯＦＤＭシンボル)に変換する。上記ＤＡＣは、上記ＯＦＤＭ変調器から提供されるサンプルデータをアナログ信号に変換する。上記ＲＦプロセッサーは、上記ＤＡＣから提供される基底帯域アナログ信号をＲＦ信号に変換する。
【０１７６】
上記メモリユニット１１４０は、上記送信機の全般的な動作のために必要とするプログラム及び送信機、基地局、ｅＮＢ、マイクロ−ｅＮＢ、ＲＲＨ、ＡＢＳなどにより受信され、送信され、保持され、又は用いられる、上記情報及び／又はここで説明される上記アルゴリズムのうちのいずれか一つを含む多様なデータを記憶する。
【０１７７】
上記ネットワーク送受信機１１５０は、無線通信システム内で他のネットワークエンティティとの通信を可能とする。
【０１７８】
本発明の特定の態様は、またコンピュータ読取り可能な記録媒体において、コンピュータ読取り可能なコードとして実現することができる。コンピュータ読取り可能な記録媒体は、コンピュータシステムにより読み取ることができるデータを格納できる任意のデータ格納デバイスである。上記コンピュータ読取り可能な記録媒体の例としては、ＲＯＭ（Read-Only Memory）、ＲＡＭ（Random-Access Memory）、ＣＤ−ＲＯＭ、磁気テープ、フロッピー（登録商標）ディスク（floppy disk）、光データ格納デバイス、及び搬送波（carrier wave）など（上記インターネットを通じたデータ送信のような）を含んでもよい。上記コンピュータ読取り可能な記録媒体は、また、ネットワーク連結されたコンピュータシステムを通じて分散されることができ、したがって、上記コンピュータ読取り可能なコードは、分散方式で格納及び実行される。また、本発明を達成するための機能的なプログラム、コード、及びコードセグメントは、本発明が属する分野における熟練されたプログラマーにより容易に解釈できる。
【０１７９】
以上、本発明を特定の好適な実施形態を参照して図示及び説明したが、添付の特許請求の範囲の記載及びこれと均等なものの範囲内で定められる本発明の範囲及び趣旨を逸脱することなく、様々な変更が可能であるということは、当業者には明らかである。
【符号の説明】
【０１８０】
１０００、１１００  デュプレクサ
１０１０、１１１０  受信機
１０２０、１１２０  送信機
１０３０、１１３０  制御機
１０４０、１１４０  メモリユニット
１１５０  ネットワーク送受信機
【図１】
0005955967.tif 000082
【図２】
0005955967.tif 000083
【図３】
0005955967.tif 000084
【図４】
0005955967.tif 000085
【図５Ａ】
0005955967.tif 000086
【図５Ｂ】
0005955967.tif 000087
【図６】
0005955967.tif 000088
【図７】
0005955967.tif 000089
【図８】
0005955967.tif 000090
【図９】
0005955967.tif 000091
【図１０】
0005955967.tif 000092
【図１１】
0005955967.tif 000093